(57)【要約】【課題】制御装置等を効率良く設置できる構成を実現し、しかもかかる構成において不正対策を講じる。【解決手段】遊技盤の裏面には、第１制御基板ユニット２０１が取り付けられている。第１制御基板ユニット２０１は略Ｌ字状をなす取付台２５１を有し、取付台２５１に主制御装置２７１と音声ランプ制御装置２７２とが搭載されている。取付台２５１において、主制御装置２７１が搭載される基板搭載面は、遊技盤３０の裏面から離間されるように構成されている。取付台２５１の背後にはスペーサ部材２８５が設けられている。【選択図】      図１５
2010201274.tif 000002
【特許請求の範囲】
【請求項１】
遊技に関する制御を司る制御基板、及び該制御基板を収容する基板ケースを有する制御装置を、台座部材によって、遊技機本体の背面から離間させて設置するようにした遊技機において、
前記制御装置と前記遊技機本体との間に形成される空間領域にスペーサ部材を設けるとともに、前記制御装置及び前記遊技機本体の少なくとも一方と前記スペーサ部材とに、結合処理によりそれら両者を分離不能とするとともに結合後の結合解除により痕跡が残るようにした結合部を設けたことを特徴とする遊技機。
【発明の詳細な説明】
【技術分野】
【０００１】
本発明は、遊技機に関するものである。
【背景技術】
【０００２】
この種の遊技機として例えばパチンコ機では、遊技領域に対して遊技球が発射され、当該遊技領域内の各種入賞口に遊技球が入賞されるとそれに伴い所定個数の遊技球が払い出される。また、例えば遊技領域の中央部には液晶表示装置等よりなる図柄表示ユニットが設置され、この図柄表示ユニットにより複数列の図柄が変動表示される。この場合、所定入賞口（始動入賞口）への入賞をトリガとして図柄表示ユニットによる図柄の変動表示が開始され、その後、所定の変動パターンによる変動表示を経て図柄の変動表示が停止される。そして、各図柄列の停止図柄が確定した際にその図柄が同一図柄であれば、特別遊技状態（大当たり状態）に移行し多量の遊技球が払い出される。特別遊技状態に移行する確率は比較的低確率で設定され、特別遊技状態に移行しない場合には通常状態のままとされる。
【０００３】
パチンコ機は、遊技に関する主要な制御を司る、いわゆる主基板を有しており、当該主基板により、入賞に伴う遊技球の払出や、その都度の遊技状態を通常状態又は特別遊技状態のいずれにするかなどが制御される。パチンコ機には、前記主基板の他、遊技球の払出を制御する払出制御基板、図柄表示ユニットにおける図柄の変動表示を制御する表示制御基板、遊技機に設置された音声装置やランプ装置による補助演出を実施する音声ランプ制御基板などが搭載されている。
【０００４】
前記の如くパチンコ機には、主基板をはじめ複数の制御基板（制御装置）が搭載されており、これら制御基板を台座装置を介して遊技機本体に搭載するものも具体化されている。この場合、制御基板が安定した状態で取り付けられるなどの利点がある。
【０００５】
また近年の遊技機においては、興趣向上などを図るべく遊技演出を多様化するなどの工夫がなされており、パチンコ機の背面側には種々の役物や、中継基板等の基板装置類が多数配設される。そのため、台座装置を遊技機の背面側（例えば遊技盤）から離間させるようにして設けるとともに、台座装置と遊技機背面との間の空間（台座部材の背後空間）を利用して各種役物や基板装置類を効率良く配置することが検討されている。また、台座装置の背後空間が設けられると、その背後空間に外部から手や工具等を差し入れて遊技機を誤動作させる等の不正行為が行われる可能性が生じる。そのため、背後空間に手や工具等を差し入れられることを阻止するべく、台座部材に遮蔽部を設ける技術が提案されている（例えば特許文献１参照）。
【０００６】
しかしながら、上記のように台座装置を遊技機の背面側（例えば遊技盤）から離間させるようにして設けた場合、台座装置の背後空間が不正目的で悪用されることが懸念される。具体的には、該空間に不正基板などが取り付けられることが懸念される。上記のように遮蔽部を設けた場合であってもその不正の可能性は残されている。したがって、その不正対策が望まれている。
【先行技術文献】
【特許文献】
【０００７】
【特許文献１】特開２００４−２７５５５３号公報
【発明の概要】
【発明が解決しようとする課題】
【０００８】
本発明は、制御装置等を効率良く設置できる構成を実現し、しかもかかる構成において不正対策を講じることができる遊技機を提供することを主たる目的とする。
【課題を解決するための手段】
【０００９】
請求項１に記載の発明は、
遊技に関する制御を司る制御基板、及び該制御基板を収容する基板ケースを有する制御装置を、台座部材によって、遊技機本体の背面から離間させて設置するようにした遊技機において、
前記制御装置と前記遊技機本体との間に形成される空間領域にスペーサ部材を設けるとともに、前記制御装置及び前記遊技機本体の少なくとも一方と前記スペーサ部材とに、結合処理によりそれら両者を分離不能とするとともに結合後の結合解除により痕跡が残るようにした結合部を設けたことを特徴とする。
【発明の効果】
【００１０】
本発明によれば、制御装置等を効率良く設置できる構成を実現し、しかもかかる構成において不正対策を講じることができる。
【図面の簡単な説明】
【００１１】
【図１】一実施の形態におけるパチンコ機を示す正面図である。
【図２】パチンコ機の主要な構成を展開又は分解して示す斜視図である。
【図３】パチンコ機を構成する本体枠の前面構成を示す正面図である。
【図４】遊技盤の構成を示す正面図である。
【図５】前扉枠の構成を示す背面図である。
【図６】パチンコ機の構成を示す背面図である。
【図７】パチンコ機の背面構成を主要部品毎に分解して示す分解斜視図である。
【図８】パチンコ機裏面における第１制御基板ユニット、第２制御基板ユニット及び裏パックユニットの配置を示す模式図である。
【図９】本体枠及び遊技盤の構成を示す背面図である。
【図１０】本体枠の背面構成を示す斜視図である。
【図１１】遊技盤の背面構成を示す斜視図である。
【図１２】軸受け金具の構成を示す斜視図である。
【図１３】第１制御基板ユニットの構成を示す正面図である。
【図１４】第１制御基板ユニットの構成を示す背面図である。
【図１５】第１制御基板ユニットの構成を示す斜視図である。
【図１６】第１制御基板ユニットの構成を示す斜視図である。
【図１７】第１制御基板ユニットの分解斜視図である。
【図１８】主制御装置の構成を示す斜視図である。
【図１９】取付台の構成を示す斜視図である。
【図２０】スペーサ部材の構成を示す斜視図である。
【図２１】遊技盤の裏面に第１制御基板ユニットを取り付けた状態の側面図である。
【図２２】第２制御基板ユニットの構成を示す正面図である。
【図２３】第２制御基板ユニットの構成を示す斜視図である。
【図２４】第２制御基板ユニットの分解斜視図である。
【図２５】裏パックユニットの構成を示す正面図である。
【図２６】裏パックユニットの分解斜視図である。
【図２７】パチンコ機の電気的構成を示すブロック図である。
【図２８】第１の実施の形態の変形例として、取付台とスペーサ部材との構成を示す斜視図である。
【図２９】第２の実施の形態において、第１制御基板ユニットの構成を示す斜視図である。
【図３０】第２の実施の形態において、第１制御基板ユニットの構成を示す斜視図である。
【図３１】第２の実施の形態において、第１制御基板ユニットの分解斜視図である。
【図３２】第２の実施の形態において、第１制御基板ユニットの分解斜視図である。
【図３３】第３の実施の形態において、主制御装置ユニットの構成を示す正面図である。
【図３４】第３の実施の形態において、主制御装置ユニットの構成を示す斜視図である。
【図３５】第３の実施の形態において、取付台の構成を示す斜視図である。
【図３６】第３の実施の形態において、スペーサ部材の構成を示す斜視図である。
【図３７】第３の実施の形態において、取付台とスペーサ部材とを一体化する際の一体化前後の状態を示す斜視図である。
【図３８】第３の実施の形態において、遊技盤の裏面に主制御装置ユニットを取り付けた状態を示す正面図である。
【図３９】第４の実施の形態において、スペーサ部材の構成を示す斜視図である。
【図４０】第４の実施の形態において、第１制御基板ユニットの分解斜視図である。
【図４１】スペーサ部材の別の構成を示す正面図である。
【図４２】スペーサ部材の別の構成を示す図である。
【図４３】空間細分化部材を用いて空間細分化をした事例を示す図である。
【図４４】遊技盤の背面側において主制御装置等の設置状況を示す図である。
【図４５】遊技盤の背面側において主制御装置等の設置状況を示す図である。
【発明を実施するための形態】
【００１２】
はじめに、本実施の形態から抽出され得る発明群を手段ｎ（ｎ＝１，２，３…）として区分して示し、それらを必要に応じて効果等を示しつつ説明する。なお以下においては、理解の容易のため、本実施の形態において対応する構成を括弧書き等で適宜示すが、この括弧書き等で示した具体的構成に限定されるものではない。
【００１３】
手段１．遊技に関する制御を司る制御基板（主基板等）、及び該制御基板を収容する基板ケース（基板ボックス２７３等）を有する制御装置（主制御装置２７１等）を、台座部材（取付台２５１）によって、遊技機本体（本体枠１２や遊技盤３０等の集合体）の背面から離間させて設置するようにした遊技機において、
前記制御装置と前記遊技機本体との間に形成される空間領域にスペーサ部材（スペーサ部材２８５）を設けるとともに、前記制御装置及び前記遊技機本体の少なくとも一方と前記スペーサ部材とに、結合処理によりそれら両者を分離不能とするとともに結合後の結合解除により痕跡が残るようにした結合部（被結合片２５５及び結合突起２９５）を設けたことを特徴とする遊技機。
【００１４】
手段１の遊技機では、台座部材によって、制御装置が遊技機本体の背面から離間させて設置されるため、制御装置と遊技機本体との間には所定の空間領域が形成される。この空間領域は、例えば各種役物や、中継基板等の基板装置などを設置する場合の設計自由度を高める意味で有効である。ただし、同空間領域が悪用されて不正部品等が設置されることなどが懸念されている。
【００１５】
この点手段１では、制御装置と遊技機本体との間にスペーサ部材を設け、そのスペーサ部材により前記空間領域を制限するようにした。これにより、単に空間領域の開口部を遮蔽するような既存の構成等とは異なり、空間領域そのものを縮小又は無くすことができ、当該空間領域を用いての不正基板等の設置などが抑制できる。また更に、制御装置及び遊技機本体の少なくとも一方とスペーサ部材とに、いわゆる封印部（カシメ部とも言う）としての機能を有する結合部を設けた。この結合部では結合処理が施されることにより結合対象の各部材同士が分離不能とされ、結合後に結合解除が行われると痕跡が残ることとなる。したがって、不正行為に対する抑止力を十分に発揮できる。以上によれば、制御装置等を効率良く設置できる構成を実現し、しかもかかる構成における十分な不正対策を講じることができる。
【００１６】
手段２．遊技に関する制御を司る制御基板（主基板等）、及び該制御基板を収容する基板ケース（基板ボックス２７３等）を有する制御装置（主制御装置２７１等）と、
該制御装置を装着する装着部（基板装着部２５２，２５３）、及び該装着部の基板搭載部位（基板搭載面２５２ａ，２５３ａ）とは逆方向に延びる脚部（下側脚部２６１、上側脚部２６２）を有する台座部材（取付台２５１）と、を備え、
前記装着部上に前記制御装置を装着し、かつ前記脚部を遊技機本体（本体枠１２や遊技盤３０等の集合体）の背面に載せた状態で、前記台座部材を遊技機本体の背面側に設置した遊技機において、
前記台座部材の装着部と前記遊技機本体との間の空間領域にスペーサ部材（スペーサ部材２８５）を設けるとともに、前記制御装置、前記台座部材及び前記遊技機本体のうち少なくとも一つと前記スペーサ部材とに、結合処理によりそれら両者を分離不能とするとともに結合後の結合解除により痕跡が残るようにした結合部（被結合片２５５及び結合突起２９５等）を設けたことを特徴とする遊技機。
【００１７】
手段２の遊技機では、台座部材の装着部に制御装置が装着され、その状態で台座部座が遊技機本体の背面側に設置されている。台座部材には脚部が設けられており、台座部材を遊技機本体の背面側に取り付けた状態では、装着部と遊技機本体との間に所定の空間領域が形成されるようになっている。この空間領域は、例えば各種役物や、中継基板等の基板装置などを設置する場合の設計自由度を高める意味で有効である。ただし、同空間領域が悪用されて不正部品等が設置されることなどが懸念されている。
【００１８】
この点手段２では、台座部材の装着部と遊技機本体との間にスペーサ部材を設け、そのスペーサ部材により前記空間領域を制限するようにした。これにより、単に空間領域の開口部を遮蔽するような既存の構成等とは異なり、空間領域そのものを縮小又は無くすことができ、当該空間領域を用いての不正基板等の設置などが抑制できる。また更に、制御装置、台座部材及び遊技機本体の少なくとも一つとスペーサ部材とに、いわゆる封印部（カシメ部とも言う）としての機能を有する結合部を設けた。この結合部では結合処理が施されることにより結合対象の各部材同士が分離不能とされ、結合後に結合解除が行われると痕跡が残ることとなる。したがって、不正行為に対する抑止力を十分に発揮できる。以上によれば、制御装置等を効率良く設置できる構成を実現し、しかもかかる構成における十分な不正対策を講じることができる。
【００１９】
手段３．前記制御装置及び前記台座部材に、結合処理によりそれら両者を分離不能とするとともに結合後の結合解除処理により痕跡を残した状態でそれら両者を分離可能とする複数の制御装置用結合部（被結合片２５５及び結合片２７６）を設けた遊技機において、
前記制御装置用結合部の一つを、前記スペーサ部材用の結合部として用いたことを特徴とする手段２に記載の遊技機。
【００２０】
手段３によれば、制御装置及び台座部材の結合に用いる結合部（制御装置用結合部）の一つを流用してスペーサ部材の結合（封印）を行うようにしたため、構成の簡素化が可能となる。また、制御装置用結合部を既に有している遊技機にあっては、本発明（手段２の発明）を容易に適用できることとなる。
【００２１】
手段４．前記脚部を、前記台座部材の装着部と前記遊技機本体との間の空間領域を囲むように設けたことを特徴とする手段２又は３に記載の遊技機。
【００２２】
手段４によれば、台座部材に設けられる脚部によって、台座部材の装着部と遊技機本体との間の空間領域に対する外からの侵入が阻止される。これにより、不正対策効果を高めることができる。
【００２３】
手段５．前記遊技機本体の背面側に前記スペーサ部材を装着するとともに、該スペーサ部材の一部を前記遊技機本体に軸支して当該スペーサ部材を回動可能としたことを特徴とする手段２乃至４のいずれかに記載の遊技機。
【００２４】
手段５によれば、遊技機本体の背面側においてスペーサ部材が回動可能に軸支されているため、遊技機本体の背面に取り付けられた各種役物や基板装置などがスペーサ部材の裏側に隠れていても、スペーサ部材の回動動作によって各種役物や基板装置などを現出させることができる。したがって、各種役物や基板装置などのメンテナンス作業等を容易なものとすることができる。
【００２５】
手段６．前記遊技機本体と前記スペーサ部材とに前記結合部を設けたことを特徴とする手段５に記載の遊技機。
【００２６】
手段６によれば、遊技機本体とスペーサ部材とが結合部（すなわち、結合処理によりそれら両者を分離不能とするとともに結合後の結合解除により痕跡が残るようにした結合部）により結合されるため、スペーサ部材の不正な取り外し行為が抑止できる。この場合、遊技機本体とスペーサ部材とに結合部による結合処理が施された状態でスペーサ部材の回動可能な状態が維持されているのが望ましい。そのための具体的な構成として、スペーサ部材の軸支部に軸部材としての圧入ピン（カシメピン）等を差し込んで両部材の結合を行い、強引な破壊等を伴わなければ結合解除ができないようにすると良い。
【００２７】
手段７．前記台座部材と前記スペーサ部材とを連結手段（ネジ、又は係止片７４５，７４６等）により分離不能に連結し、前記装着部上に装着した前記制御装置によって前記連結手段を覆い隠す構成としたことを特徴とする手段２乃至４のいずれかに記載の遊技機。
【００２８】
手段７によれば、装着部上に制御装置が装着された状態では、連結手段が露出しておらず該連結手段による連結を解除することができない。これは台座部材からスペーサ部材を容易に取り外すことができないことを意味する。したがって、不正抑止効果をより一層高めることができる。
【００２９】
「連結手段を覆い隠す構成」としては、連結手段を構成する部材（例えばネジ）の全体を覆い隠すものの他、連結手段を構成する部材（例えばネジ）の少なくとも連結解除を行う部位を覆い隠すものも含む。
【００３０】
手段８．前記台座部材と前記スペーサ部材とに、結合処理によりそれら両者を分離不能とするとともに結合後の結合解除により痕跡が残るようにした封印手段（封印シールＦＳ）を設けたことを特徴とする手段７に記載の遊技機。
【００３１】
手段８によれば、台座部材とスペーサ部材とに、いわゆる封印部（カシメ部とも言う）としての機能を有する封印手段を設けた。この封印手段によれば結合処理が施されることにより結合対象の各部材同士が分離不能とされ、結合後に結合解除が行われると痕跡が残ることとなる。したがって、台座部材からスペーサ部材が不正に取り外される等の不正行為に対する抑止力を十分に発揮できる。
【００３２】
上記手段７によれば、装着部上に制御装置が装着された状態で連結手段の連結解除が不可能であり、台座部材からのスペーサ部材の取り外しが極めて困難になるが、検査等の目的で制御装置が取り外された状態においては連結手段の連結解除が可能になると考えられる。この点上記の如く封印手段を設けることにより、制御装置が取り外された状態にあってもスペーサ部材の不正取り外し等に対する抑止力を十分に発揮できる。
【００３３】
手段９．前記台座部材と前記スペーサ部材とを、初回の連結操作のみ可能とし以後の連結解除操作を不可とする連結手段（連結片８１１，８１２等）により分離不能に連結したことを特徴とする手段２乃至４のいずれかに記載の遊技機。
【００３４】
手段９によれば、連結手段の初回の連結操作が行われた後は連結解除操作が不可となるため、台座部材からスペーサ部材を取り外すことの困難性を高めることができる。したがって、不正抑止効果をより一層高めることができる。
【００３５】
手段１０．前記装着部上に装着した前記制御装置によって前記連結手段を覆い隠す構成としたことを特徴とする手段９に記載の遊技機。
【００３６】
手段１０によれば、制御装置を取り外さなければ連結手段が露出しない。したがって、不正抑止効果を高めることができる。
【００３７】
手段１１．前記連結手段は、係止部（係止部８１１ｂ，８１２ｂ）を有する係止部材（連結片８１１，８１２等）であり、該係止部材を前記台座部材又は前記スペーサ部材の被係止部（係止受け部８０１，８０２）にはめ込んで前記係止部を係止状態とした後、前記係止部が閉塞空間内に収容されることを特徴とする手段９又は１０に記載の遊技機。
【００３８】
手段１１によれば、係止手段を係止状態とした後、係止部材の係止部が閉塞空間内に収容されるため、一旦連結状態（ここでは係止部の係止状態）とした後に、係止部材の係止を解除することができない。故に上記した所望の効果が得られる。
【００３９】
手段１２．前記台座部材又は前記遊技機本体のいずれかに対して前記スペーサ部材を取り付ける構成とし、該スペーサ部材において前記台座部材又は前記遊技機本体への取付面部とは異なる外面部を閉じた面としたことを特徴とする手段１乃至１１のいずれかに記載の遊技機。
【００４０】
手段１２によれば、スペーサ部材において台座部材又は遊技機本体への取付面部とは異なる外面部が閉じた面となっているため、その外面部（閉じた面）から不正道具を差し入れたり、不正基板を装着したりすることができないようになっている。また、スペーサ部材が中空の立体形状である場合には、その中空空間部を細分化するためにリブやボス等が設けられるが（後述の手段２２〜２４等参照）、上記構成によれば、リブやボス等を切除したりする行為が困難なものとなっている。つまり、リブやボス等により細分化された空間が不正に拡張されないようになっている。
【００４１】
なお、「スペーサ部材において台座部材又は遊技機本体への取付面部とは異なる外面部」とは、例えば、スペーサ部材を台座部材又は遊技機本体に取り付けた状態においてその取付面側とは逆側となる面（取付対象に対して背側となる面でもある）を指す。このとき、スペーサ部材を台座部材に取り付けた場合には、スペーサ部材において遊技機本体に対向する面を指し、スペーサ部材を遊技機本体に取り付けた場合には、スペーサ部材において台座部材に対向する面を指す。
【００４２】
手段１３．前記スペーサ部材において前記台座部材又は前記遊技機本体への取付面部とは異なる外面部を透明としたことを特徴とする手段１２に記載の遊技機。
【００４３】
手段１３によれば、スペーサ部材の内部が視認できる。故に、スペーサ部材の内方に施される不正の有無を容易に確認できるようになる。
【００４４】
手段１４．前記台座部材は複数の制御装置を装着するものであって、これらの制御装置を装着するための複数の装着部（基板装着部２５２，２５３）を、互いに段差を有する態様で形成したことを特徴とする手段２乃至１３のいずれかに記載の遊技機。
【００４５】
手段１４によれば、台座部材には複数の制御装置を装着するための装着部が段差状に形成されているため、遊技機本体の裏面から離間させて配置したい制御装置と、遊技機本体の裏面に近接させて配置したい制御装置とを共に同一の台座部材に装着することができる。この場合、複数の制御装置を遊技機に搭載する上で配置形態等を多様化させることができる。
【００４６】
手段１５．手段１４において、前記遊技機本体の裏面側から見て前記複数の装着部を互いに交差する向きに延びるようにして形成したことを特徴とする遊技機。
【００４７】
手段１５によれば、複数の装着部が互いに交差する向きに延びるようにして形成されるため、それに合わせて制御装置を例えば縦横に交差させて配置することができる。従って、自由度の高い制御装置の配置が可能となる。例えば、２つの装着部を各々の長手方向が直交するように配置し、全体として略Ｌ字状、略Ｔ字状などに構成するとよい。
【００４８】
手段１６．手段１４又は１５において、遊技機の前後方向に重複した状態で前記複数の制御装置をそれぞれの装着部に装着したことを特徴とする遊技機。
【００４９】
手段１６によれば、遊技機の前後方向に重複した状態で前記複数の制御装置がそれぞれの装着部に装着されるため、遊技機本体の裏面側において限られた大きさを効率良く使って複数の制御装置を配置することが可能となる。
【００５０】
手段１７．手段１４乃至１６のいずれかにおいて、絵柄を変動表示する絵柄表示ユニット（可変表示ユニット３５）を遊技機本体の裏面側に突出した状態で配設した遊技機であって、前記絵柄表示ユニットを迂回するようにして前記台座部材を配置したことを特徴とする遊技機。
【００５１】
手段１７によれば、絵柄表示ユニットを迂回するようにして台座部材が配置されており、この絵柄表示ユニットに干渉することなく台座部材が効率良く配置できる。
【００５２】
手段１８．手段１７において、前記装着部の背後空間に通じる一つの開口部を前記絵柄表示ユニットで塞ぎ、他の開口部を前記脚部で塞いだことを特徴とする遊技機。
【００５３】
手段１８によれば、装着部の背後空間に通じる一つの開口部が前記絵柄表示ユニットで塞がれ、他の開口部が台座部材の脚部で塞がれる。この場合、装着部の背後空間に通じる開口部が全て遮蔽部により塞がれなくとも、当該背後空間への侵入を防止するといった所望の効果が得られる。またこの場合、脚部で塞がれない部位を用いて電気配線等の取り回しを行わせることができる。
【００５４】
手段１９．遊技機本体（本体枠１２や遊技盤３０等の集合体）の背面側に制御装置（主制御装置２７１等）や機能部品類（可変入賞装置３２等）などを搭載するとともに、それら制御装置や機能部品類などの少なくとも遊技機後方側を覆うように、同じく遊技機本体の背面側にカバー部材（カバー体９０３）を取り付けた遊技機において、
前記カバー部材により形成される空間領域にスペーサ部材（スペーサ部材９０４）を設けるとともに、前記遊技機本体及び前記カバー部材の少なくともいずれかと前記スペーサ部材とに、結合処理によりそれら両者を分離不能とするとともに結合後の結合解除により痕跡が残るようにした結合部（封印部材９０５）を設けたことを特徴とする遊技機。
【００５５】
手段１９の遊技機では、遊技機本体の背面側には制御装置や機能部品類などが搭載されるとともに、それら制御装置や機能部品類などの少なくとも遊技機後方側を覆うようにしてカバー部材が取り付けられている。この場合、カバー部材により形成された空間領域に制御装置や機能部品類などが配設されるが、同空間領域には余剰空間が存在することがあると考えられる。余剰空間が存在していると、例えば各種役物や、中継基板等の基板装置などを設置する場合の設計自由度を高めることができ、機種・型式等の変更時にも好適に対処できる。ただし、同余剰空間が悪用されて不正部品等が設置されることなどが懸念されている。
【００５６】
この点手段１９では、カバー部材により形成される空間領域にスペーサ部材を設け、そのスペーサ部材により前記空間領域（余剰空間）を制限するようにした。これにより、前記空間領域（余剰空間）を縮小又は無くすことができ、当該空間領域を用いての不正基板等の設置などが抑制できる。また更に、遊技機本体及びカバー部材の少なくともいずれかとスペーサ部材とに、いわゆる封印部（カシメ部とも言う）としての機能を有する結合部を設けた。この結合部では結合処理が施されることにより結合対象の各部材同士が分離不能とされ、結合後に結合解除が行われると痕跡が残ることとなる。したがって、不正行為に対する抑止力を十分に発揮できる。以上によれば、遊技機本体の背面に区画空間を有する遊技機において、十分な不正対策を講じることができる。
【００５７】
手段２０．前記カバー部材又は前記遊技機本体のいずれかに対して前記スペーサ部材を取り付ける構成とし、該スペーサ部材において前記カバー部材又は前記遊技機本体への取付面部とは異なる外面部を閉じた面としたことを特徴とする手段１９に記載の遊技機。
【００５８】
手段２０によれば、スペーサ部材においてカバー部材又は遊技機本体への取付面部とは異なる外面部が閉じた面となっているため、その外面部（閉じた面）から不正道具を差し入れたり、不正基板を装着したりすることができないようになっている。また、スペーサ部材が中空の立体形状である場合には、その中空空間部を細分化するためにリブやボス等が設けられるが（後述の手段２２〜２４等参照）、上記構成によれば、リブやボス等を切除したりする行為が困難なものとなっている。つまり、リブやボス等により細分化された空間が不正に拡張されないようになっている。
【００５９】
なお、「スペーサ部材においてカバー部材又は遊技機本体への取付面部とは異なる外面部」とは、例えば、スペーサ部材をカバー部材又は遊技機本体に取り付けた状態においてその取付面側とは逆側となる面（取付対象に対して背側となる面でもある）を指す。このとき、スペーサ部材をカバー部材に取り付けた場合には、スペーサ部材において遊技機本体に対向する面を指し、スペーサ部材を遊技機本体に取り付けた場合には、スペーサ部材においてカバー部材に対向する面を指す。
【００６０】
手段２１．前記スペーサ部材において前記カバー部材又は前記遊技機本体への取付面部とは異なる外面部を透明としたことを特徴とする手段２０に記載の遊技機。
【００６１】
手段２１によれば、スペーサ部材の内部が視認できる。故に、スペーサ部材の内方に施される不正の有無を容易に確認できるようになる。
【００６２】
手段２２．前記スペーサ部材は、全体として中空の立体形状をなし、その外郭部により形成される中空部を細分化する空間細分化部材（リブ２８６等）を有することを特徴とする手段１乃至２１のいずれかに記載の遊技機。
【００６３】
手段２２によれば、スペーサ部材が立体形状をなしているため、前記空間領域を制限するのに好適なものとなる。更に、スペーサ部材に空間細分化部材を設けたため、中空部内の空間の一つ一つの塊として比較的大きなものが形成されないようになる。これにより、不正基板の設置等を抑止する上で好適なる構成が実現できる。
【００６４】
手段２３．前記スペーサ部材は、全体として中空の立体形状をなし、その外郭部により形成される中空部内に、格子状をなす複数の仕切り板部（リブ２８６）を設けたことを特徴とする手段１乃至２１のいずれかに記載の遊技機。
【００６５】
手段２３によれば、スペーサ部材が立体形状をなしているため、前記空間領域を制限するのに好適なものとなる。更に、スペーサ部材に格子状をなす複数の仕切り板部を設けたため、中空部内の空間の一つ一つの塊として比較的大きなものが形成されないようになる。これにより、不正基板の設置等を抑止する上で好適なる構成が実現できる。また、仕切り板部によってスペーサ部材の補強効果も得られる。
【００６６】
手段２４．前記スペーサ部材は、全体として中空の立体形状をなし、その外郭部により形成される中空部内に、複数の柱部材（ボス６２１）を点在させて設けたことを特徴とする手段１乃至２１のいずれかに記載の遊技機。
【００６７】
手段２４によれば、スペーサ部材が立体形状をなしているため、前記空間領域を制限するのに好適なものとなる。更に、スペーサ部材に複数の柱部材を点在させて設けたため、中空部内を遮る部材を適宜配することができる。これにより、不正基板の設置等を抑止する上で好適なる構成が実現できる。
【００６８】
手段２５．複数の突状部（起立リブ８３３、起立ピン８３４）を有するスペーサ形成片（スペーサ形成片８３１）を用い、そのスペーサ形成片を複数組み合わせて前記スペーサ部材を形成したことを特徴とする手段１乃至２４のいずれかに記載の遊技機。
【００６９】
手段２５によれば、複数のスペーサ形成片を組み合わせることにより、スペーサ部材の中空部においてより細かな細分化が容易に実現できる。つまり、リブ等の突状部を作製する場合、製造上の都合によりその設置間隔が制限されるが、複数部材の組み合わせによれば設置間隔の狭小化が可能となる。例えば、スペーサ部材を樹脂成形する場合には、金型の大きさ等の制約から突状部の設置間隔が制限されるが、本手段によればこの不都合が解消される。突状部は、板状（リブ状、フィン状など）をなすもの、柱状（円柱状、多角形柱状など）をなすもののいずれでも良い。
【００７０】
手段２６．前記スペーサ形成片は、ベース板部（ベース板部８３２）に複数の突状部（起立リブ８３３、起立ピン８３４）を立設したものであり、前記ベース板部が対面しかつ前記突状部が互いに違いに並ぶようにして複数のスペーサ形成片を組み付けて前記スペーサ部材を形成したことを特徴とする手段２５に記載の遊技機。
【００７１】
手段２６によれば、上記のとおり突状部の設置間隔が狭小化されたスペーサ部材を容易に形成することができる。この場合、２つのスペーサ形成片を組み合わせる場合を想定すると、突状部が突き出た方を互いに向き合わせて２つのスペーサ形成片を組み合わせる構成や、突状部が突き出た方を同方向として２つのスペーサ形成片を組み合わせる構成が考えられる。ただし突状部を同方向に向けて設ける場合、少なくとも一方のベース板部には突状部を貫通させるための貫通孔を設けると良い。
【００７２】
手段２７．前記スペーサ部材を、複数のスペーサブロックの集合体として構成し、個々のスペーサブロックごとに、結合処理により分離不能となりかつ結合後の結合解除により痕跡が残るようにした結合部を設けたことを特徴とする手段１乃至２６のいずれかに記載の遊技機。
【００７３】
手段２７によれば、スペーサ部材が複数のスペーサブロックの集合体として構成されることにより、スペーサブロックの組み合わせを適宜変更することで、スペーサ部材としての立体形状を様々に変化させることができる。この場合、都度の空間領域に対応させてスペーサ部材を容易に形作ることができ、例えば機種・型式等の変更時にも好適に対処できる。また、個々のスペーサブロックごとに結合部が設けられるため、複数のスペーサブロックのいずれかが不正に取り除かれる等の不正を抑止できる。
【００７４】
個々のスペーサブロックに設けられる結合部は、スペーサブロック同士で結合処理が施されるものでも良いし、その他スペーサブロックと台座部材、スペーサブロックと遊技機本体、スペーサブロックと制御装置、スペーサブロックとカバー部材、のいずれの間で結合処理が施されるものでも良い。
【００７５】
以下に、以上の各手段を適用し得る各種遊技機の基本構成を示す。
【００７６】
弾球遊技機：遊技者が操作する操作手段（遊技球発射ハンドル１１１）と、その操作手段の操作に基づいて遊技球を弾いて発射する球発射手段（遊技球発射装置６１）と、その発射された遊技球を所定の遊技領域に導く球通路（球発射通路５３）と、遊技領域内に配置された各遊技部品（一般入賞口３１、可変入賞装置３２、作動口３３、可変表示ユニット３５等）とを備えた遊技機。
【００７７】
可変表示装置を備えた弾球遊技機：遊技者が操作する操作手段（遊技球発射ハンドル１１１）と、その操作手段の操作に基づいて遊技球を弾いて発射する球発射手段（遊技球発射装置６１）と、その発射された遊技球を所定の遊技領域に導く球通路（球発射通路５３）と、遊技領域内に配置された作動口（作動口３３）、可変表示装置（第１図柄表示装置４１）及び可変入賞装置（可変入賞装置３２）とを備え、作動口への遊技球の入球を検知すると可変表示装置に表示される図柄を可変表示し、その停止時の図柄が特定図柄である場合に可変入賞装置を所定態様で開放させるようにした遊技機。
【００７８】
球使用回胴式遊技機：複数の図柄からなる図柄列（具体的には図柄が付されたリール）を変動表示（具体的にはリールの回動）した後に図柄列を確定停止表示する可変表示手段（具体的にはリールユニット）を備え、始動用操作手段（具体的にはスタートレバー）の操作に起因して図柄の変動が開始され、停止用操作手段（具体的にはストップボタン）の操作に起因して又は所定時間経過することにより図柄の変動が停止され、その停止時の確定図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【００７９】
以下、遊技機の一種であるパチンコ遊技機（以下、「パチンコ機」という）の一実施の形態を、図面に基づいて詳細に説明する。図１はパチンコ機１０の正面図、図２はパチンコ機１０の主要な構成を展開又は分解して示す斜視図、図３はパチンコ機１０を構成する本体枠１２の前面構成を示す正面図である。なお、図２，３では便宜上、パチンコ機１０の遊技領域内の構成を空白としている。
【００８０】
図１〜図３に示すように、パチンコ機１０は、当該パチンコ機１０の外殻を形成する外枠１１を備えている。外枠１１は、遊技ホールへの設置の際に、いわゆる島設備に取り付けられる。外枠１１は、木製の板材を全体として矩形枠状に組み合わせた状態とされ、各板材を小ネジ等の離脱可能な締結部材により固定することによって構成されている。外枠１１を合成樹脂やアルミニウム等の金属によって構成することも可能である。
【００８１】
外枠１１の一側部には、本体枠１２が開閉可能に支持されている。その開閉軸線はパチンコ機１０の正面からみて左側に上下へ延びるように設定されており、その開閉軸線を軸心にして本体枠１２が前方側に開放できるようになっている。本体枠１２は合成樹脂、具体的にはＡＢＳ樹脂により構成されている。本体枠１２をアルミニウム等の金属によって構成してもよい。外枠１１に代わる構成として設置枠体を遊技ホール側に予め設けておき、遊技ホールへのパチンコ機１０の設置に際しては本体枠１２を前記設置枠体に組み付ける構成とすることも可能である。
【００８２】
本体枠１２の前面側の下部位置には前面板１４が設けられている。前面板１４は横長状に形成され、その横幅は本体枠１２の横幅とほぼ一致するように構成されている。前面板１４は、幅方向ほぼ中央部において手前側へ膨出した膨出部１５ａを有するベース部１５と、ベース部１５の膨出部１５ａ内側に設けられ下方にくぼんだ皿形状をなす球受皿としての下皿１６と、下皿１６の奥側の壁面を構成する奥壁パネル１７とを備えている。ベース部１５は本体枠１２に対してネジ等の締結部材により固定されていることから、ベース部１５が本体枠１２に対する取付部を構成している。ベース部１５には膨出部１５ａよりも右方に、手前側へ突出するようにして遊技球発射ハンドル１８が設けられている。奥壁パネル１７には球排出口１７ａが設けられており、球排出口１７ａより排出された遊技球が下皿１６内に貯留されるようになっている。
【００８３】
ベース部１５の膨出部１５ａ前面側にはスライド式の球抜きレバー１９が設けられている。球抜きレバー１９が操作されると、下皿１６の底面に設けられた球抜き穴を介して下皿１６内の貯留球が下方に排出される。奥壁パネル１７の球排出口１７ａとは異なる位置には、多数の小孔が集合したスピーカカバー部１７ｂが形成されており、当該パネル１７の後方に設置されたスピーカ２０の出力音がスピーカカバー部１７ｂを通じて前方に発せられるようになっている。
【００８４】
ベース部１５には膨出部１５ａの左方に灰皿２１が設けられている。灰皿２１は、内部に溜まった吸い殻等を除去しやすいように手前側下方に反転可能に取り付けられており、その右側面と背面とでベース部１５に対面している。具体的な図示は省略するが、灰皿２１の右側面には当該灰皿２１を回動可能な状態で片持ち支持するための支軸が設けられ、同背面には灰皿２１が図示のように上方に開口した位置でベース部１５に係止される係止部が設けられている。前面板１４はその大部分が本体枠１２と同様、ＡＢＳ樹脂にて成形されている。
【００８５】
本体枠１２の前面側の前面板１４を除く範囲には、本体枠１２を覆うようにして前面扉としての前扉枠１３が設けられている。従って、前面板１４と前扉枠１３とにより本体枠１２の前面側全体が覆われている。前扉枠１３は、本体枠１２に対して開閉可能に取り付けられており、本体枠１２と同様、パチンコ機１０の正面からみて左側に上下に延びる開閉軸線を軸心にして前方側に開放できるようになっている。なお、前扉枠１３は前面板１４と同様、ＡＢＳ樹脂にて成形されている。
【００８６】
前扉枠１３の下部位置には、下皿１６の上方において手前側へ膨出した膨出部２２が設けられ、その膨出部２２内側には上方に開口した上皿２３が設けられている。上皿２３は、後述する払出装置より払い出された遊技球を一旦貯留し、一列に整列させながら遊技球発射装置側へ導くための球受皿である。膨出部２２前面側には上皿２３用の球抜きレバー２４が設けられており、この球抜きレバー２４を操作すると上皿２３の最下流部付近に設けられた球抜き通路（図示略）が開放され、上皿２３内の貯留球が下皿１６へ排出されるようになっている。なお、上皿２３も下皿１６等と同様、難燃性のＡＢＳ樹脂にて構成することが可能である。
【００８７】
図３に示すように、本体枠１２は、外形が前記外枠１１とほぼ同一形状をなす樹脂ベース２５を主体に構成されており、樹脂ベース２５の中央部には略円形状の窓孔２６が形成されている。樹脂ベース２５の後側には遊技盤３０が着脱可能に装着されている。図４に示すように、遊技盤３０は略四角形状の合板よりなり、その周縁部が樹脂ベース２５の裏側に当接した状態で取着されている。すなわち、遊技盤３０はパチンコ機１０後方より取り付けられ、遊技盤３０の前面部の略中央部分だけが樹脂ベース２５の窓孔２６を通じて本体枠１２の前面側に露出した状態となっている。
【００８８】
次に、遊技盤３０の構成を図４に基づいて説明する。遊技盤３０には、ルータ加工が施されることによって前後方向に貫通する大小複数の開口部が形成されている。各開口部には一般入賞口３１、可変入賞装置３２、作動口３３、スルーゲート３４及び可変表示ユニット３５等がそれぞれ設けられている。実際には、一般入賞口３１、可変入賞装置３２、作動口３３、スルーゲート３４及び可変表示ユニット３５は木ねじ等により遊技盤表面に取り付けられている。本実施の形態では、可変表示ユニット３５が遊技盤３０の略中央に配置され、その下方に作動口３３が配置され、さらにその下方に可変入賞装置３２が配置されている。また、可変表示ユニット３５の左右両側にスルーゲート３４が配置され、遊技盤３０の下部両側に一般入賞口３１がそれぞれ複数配置されている。作動口３３には、所定の条件下で作動状態（開放状態）となる電動役物が付随的に設けられている。前記一般入賞口３１、可変入賞装置３２及び作動口３３に遊技球が入ると、それが後述する検出スイッチにより検出され、その検出結果に基づいて上皿２３（場合によっては下皿１６）に対し所定数の賞品球が払い出される。その他に、遊技盤３０の最下部にはアウト口３６が設けられており、各種入賞口等に入らなかった遊技球はアウト口３６を通って図示しない球排出路の方へと案内されるようになっている。また、遊技盤３０には、遊技球の落下方向を適宜分散、調整等するために多数の釘が植設されていると共に、風車３７等の各種部材（役物）が配設されている。
【００８９】
遊技盤３０の左右両側部には、組付相手である本体枠１２の左右両側からの張出領域との干渉を回避するように凹部としての切欠３８が複数箇所に形成されている。
【００９０】
可変表示ユニット３５には、作動口３３への入賞をトリガとして第１図柄（特別図柄）を変動表示する第１図柄表示装置４１が設けられている。可変表示ユニット３５には、第１図柄表示装置４１を囲むようにしてセンターフレーム４３が配設されている。センターフレーム４３の上部には、第１図柄表示装置４１に対応した保留ランプ４４が設けられている。遊技球が作動口３３を通過した回数は最大４回まで保留され、保留ランプ４４の点灯によってその保留個数が表示されるようになっている。なお、保留ランプ４４は、第１図柄表示装置４１の一部で変動表示される構成等であっても良い。また、センターフレーム４３の上部中央には、スルーゲート３４の通過をトリガとして第２図柄（普通図柄）を変動表示する第２図柄表示装置４２が設けられている。センターフレーム４３の下部には、第２図柄表示装置４２に対応した保留ランプ４６が設けられている。遊技球がスルーゲート３４を通過した回数は最大４回まで保留され、保留ランプ４６の点灯によってその保留個数が表示されるようになっている。なお、保留ランプ４６は、前記保留ランプ４４と同様に、第１図柄表示装置４１の一部で変動表示される構成等であっても良い。
【００９１】
第１図柄表示装置４１は液晶ディスプレイを備えた液晶表示装置として構成されており、後述する表示制御装置により表示内容が制御される。第１図柄表示装置４１には、例えば左、中及び右に並べて第１図柄が表示され、これらの図柄が上下方向にスクロールされるようにして可変表示されるようになっている。なお、第１図柄表示装置４１は、液晶ディスプレイ以外に、ＣＲＴ，ドットマトリックス，７セグメント等その他のタイプにより表示画面を構成したものであってもよい。
【００９２】
第２図柄表示装置４２は、例えば「○」、「×」の２種類の第２図柄を表示する表示部４５を備えている。そして、遊技球がスルーゲート３４を通過する毎に表示部４５の表示図柄（第２図柄）が変動し、その変動表示が所定図柄（例えば「○」図柄）で停止した場合に、作動口３３に付随する電動役物が所定時間だけ開放状態となるよう構成されている。具体的な変動態様は、遊技球がスルーゲート３４を通過すると、「○」と「×」の表示が付された部分の背面に内蔵された各ＬＥＤが交互に点灯され、最終的に「○」か「×」の一方に対応したＬＥＤのみが点灯されるというものである。なお、表示部４５は、複数のランプ（ＬＥＤ）を交互に点灯させることにより変動表示される構成の他、第１図柄表示装置４１（液晶表示装置）の一部で変動表示される構成等であってもよい。
【００９３】
可変入賞装置３２は、通常は遊技球が入賞できない又は入賞し難い閉状態になっており、特別遊技状態（以下、大当たりという）の際に遊技球が入賞しやすい所定の開放状態に切り換えられるようになっている。より詳しくは、作動口３３に遊技球が入賞すると第１図柄表示装置４１で第１図柄が変動表示され、その停止後の確定図柄が予め設定した特定の図柄の組合せとなった場合に大当たりが発生する。そして、可変入賞装置３２が所定の開放状態となり、遊技球が入賞し易い状態になるよう構成されている。可変入賞装置３２の開放態様としては、所定時間（例えば３０秒間）の経過又は所定個数（例えば１０個）の入賞を１ラウンドとして、可変入賞装置３２内の継続入賞口への入賞を条件として次ラウンドへの移行条件成立とし、複数ラウンド（例えば１５ラウンド）を上限として可変入賞装置３２が繰り返し開放されるものが一般的である。
【００９４】
遊技盤３０には、遊技球発射装置から発射された遊技球を遊技盤３０上部へ案内するためのレール部材としてのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品にて構成されており、より具体的には、摩擦抵抗を低減するべくフッ素配合のポリカーボネート樹脂が用いられている。レールユニット５０は、内外二重に設けられた内レール部５１と外レール部５２とを有する。内レール部５１は上方の約１／４ほどを除いて略円環状に形成され、外レール部５２は内レール部５１の上方開放領域を囲むようにかつ内レール部５１の左側部と並行するように略半円環状に形成されている。
【００９５】
内レール部５１は、他の樹脂部分と一体成型され、遊技盤３０の面上にほぼ垂直に起立して設けられている。また、外レール部５２は、内レール部５１と同様に他の樹脂部分と一体成型され、遊技盤３０の面上にほぼ垂直に起立して設けられた支持部５２ａを有し、その支持部５２ａの内側面に、遊技球の飛翔をより滑らかなものとするための摺動プレート５２ｂが取り付けられている。摺動プレート５２ｂは、長尺状をなすステンレス製の金属帯よりなり、複数箇所で支持部５２ａに支持されている。かかる場合、内レール部５１と外レール部５２とにより誘導レールが構成され、これら各レール部５１，５２が所定間隔を隔てて対向する部分により球案内通路が形成されている。なお、内外のレール部５１，５２が対向する部位では、遊技盤３０との当接部５３により各レール部５１，５２が連結されており、球案内通路は手前側に開放した溝状に形成されている。
【００９６】
レールユニット５０において、前記球案内通路より遊技球が飛び出す部位（図４の左上部）には戻り球防止部材５４が取着され、該飛び出した遊技球の最大飛翔部分に対応する部位（図４の右上部）には返しゴム５５が取着されている。戻り球防止部材５４により、一旦球案内通路から遊技盤３０の上部へと飛び出した遊技球が球案内通路内に戻ってしまうといった事態が防止される。また、所定以上の勢いで発射された遊技球は返しゴム５５に当たり、遊技領域の中央寄りに跳ね返されるようになっている。
【００９７】
レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされる。ここで、レールユニット５０の上下及び左右の各端部は略直線状に形成されている。つまり、レールユニット５０の上下及び左右の各端部においてはフランジ５６が切り落とされ、パチンコ機１０における有限の領域にてレール径の拡張、すなわち遊技盤３０上の遊技領域の拡張が図られるようになっている。レールユニット５０は、遊技盤３０上の遊技領域の最大幅となる位置が遊技盤３０の左右端位置に至るように配設されている。なお、レールユニット５０の球案内通路に対応する部位のなかでも特に遊技球の受け入れ部位に関しては、当該レールユニット５０を強固に取り付けて遊技球の飛びを安定させるべく、該当するフランジ５６が他よりも多い箇所（本実施の形態では３カ所、他は２カ所）でネジ止めされている。
【００９８】
内レール部５１及び外レール部５２間の球案内通路の入口には、同球案内通路の一部を閉鎖するようにして凸部５７が形成されている。凸部５７は、内レール部５１の外周部から下方へ延びるように形成され、遊技領域まで至らず球案内通路内を逆流してくるファール球をファール球通路７６（図３参照）に導く機能を有する。
【００９９】
遊技盤３０においてレールユニット５０よりも外方の左上部には、前後に貫通した中継端子孔５９が設けられており、この中継端子孔５９を通じて、遊技盤裏面に設置した中継端子板の接続コネクタ６０がパチンコ機１０前面側に露出されるようになっている。
【０１００】
図３の説明に戻り、前記樹脂ベース２５において、窓孔２６（遊技盤３０）の下方には、遊技球発射装置より発射された直後に遊技球を案内するための発射レール６１が取り付けられている。発射レール６１は、その後方の金属板６２を介して樹脂ベース２５に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後球案内通路を通じて遊技領域に案内される。発射レール６１と球案内通路との間には所定間隔の隙間があり、この隙間より下方にファール球通路７６が設けられている。従って、仮に遊技球発射装置から発射された遊技球が戻り球防止部材５４まで至らずファール球として球案内通路内を逆戻りする場合には、そのファール球がファール球通路７６を介して下皿１６に排出される。
【０１０１】
ファール球が球案内通路内を逆流してくる際、その多くは外レール部５２に沿って流れ、外レール部５２の下端部に到達した時点で下方に落下するが、一部のファール球は球案内通路内で暴れ、内レール部５１側へ跳ね上がるものもある。この際、跳ね上がったファール球は、球案内通路入口の前記凸部５７に当たり、ファール球通路７６に誘導される。これにより、ファール球の全てがファール球通路７６に確実に案内され、ファール球と次に発射される遊技球との干渉が抑制される。
【０１０２】
本体枠１２の前面において発射レール６１の左側には、左右一対の排出口６６，６７が形成されると共に、その前方に、排出口６６，６７より排出された遊技球を上皿２３又は下皿１６の何れかに案内するための遊技球案内ユニット７０が取り付けられている。便宜上以下の説明では、排出口６６を第１排出口、排出口６７を第２排出口ともいう。これら排出口６６，６７は、本体枠１２の背面に設けられた遊技球分配部２４５（図１０参照）に通じており、基本的に第１排出口６６より遊技球の排出が行われ、この第１排出口６６も含め上皿２３に通じる通路が遊技球で一杯になると、第１排出口６６に代えて第２排出口６７より遊技球の排出が行われるようになっている。
【０１０３】
遊技球案内ユニット７０は、ポリカーボネート樹脂等の透明な樹脂材料により内部を視認可能に構成され、本体枠１２に対して前扉枠１３を閉鎖した状態で本体枠１２と前扉枠１３との間に収まるよう厚みが比較的薄くなるように形成されている。遊技球案内ユニット７０には、前述のファール球通路７６が一体的に形成されている。遊技球案内ユニット７０には、前記排出口６６，６７と下皿１６とを連通するための球排出通路７１が形成されている。遊技球案内ユニット７０には、本体枠１２の第１排出口６６の手前側に、上皿２３に連通する連通口７２が形成され、連通口７２を閉鎖するようにして開閉プレート７３が取り付けられている。開閉プレート７３は支軸７４により回動可能に支持され、付勢手段としてのバネ７５により連通口７２を閉鎖する位置に常時付勢されている。
【０１０４】
遊技球案内ユニット７０の上記構成によれば、前扉枠１３を開放した状態ではバネ７５の付勢力により開閉プレート７３が図示の如く起き上がり、連通口７２を閉鎖する。この状態では、第１排出口６６より排出される遊技球が球排出通路７１を通じて下皿１６に案内される。従って、連通口７２の上流側に遊技球が貯留されている状態で前扉枠１３を開放した場合、その貯留球は連通口７２よりこぼれ落ちることなく、球排出通路７１を通じて下皿１６に流下する。つまり、前飾り枠が省略され前扉枠１３に対して上皿２３が直接設けられる構成とした本パチンコ機１０にあっても、前扉枠１３の開放に際し連通口７２の上流側にある遊技球がこぼれ落ちてしまうといった不都合が防止できる。これに対し、前扉枠１３を閉鎖した状態では、前扉枠１３の裏面に設けられた球通路樋１３８（図２参照）によりバネ７５の付勢力に抗して開閉プレート７３が押し開けられる。この状態では、第１排出口６６より排出される遊技球が連通口７２を介して上皿２３に案内される。従って、連通口７２より上流側の遊技球は上皿２３に払い出される。なお、遊技球案内ユニット７０の球排出通路７１下流側には、下皿１６に排出された遊技球が一杯（満タン）になったことを検知する下皿満タンスイッチが取り付けられている。
【０１０５】
樹脂ベース２５には、窓孔２６の左上部に小窓７９が設けられている。この小窓７９は、図４で説明した遊技盤３０の中継端子孔５９に対応する位置にそれとほぼ同一の形状で設けられ、中継端子孔５９及び小窓７９を通じて、遊技盤裏面に設置した中継端子板の接続コネクタ６０が本体枠１２の前面側に露出される。かかる構成において、前扉枠１３側に設けた各種ランプに対しては、本体枠１２（樹脂ベース２５）の小窓７９より露出した接続コネクタ６０を介して電気的な接続がなされている。樹脂ベース２５の上部には、前扉枠１３の開放の状態を検出するための前扉枠開放スイッチ２７が設けられている。前扉枠開放スイッチ２７は、樹脂ベース２５の前面に出没可能なピンを有しており、本体枠１２に対して前扉枠１３を閉じた状態ではピンが押し込まれて前扉枠１３の閉鎖が検知され、本体枠１２に対して前扉枠１３を開いた状態ではピンが突出位置に戻って前扉枠１３の開放が検知されるようになっている。樹脂ベース２５の左右２カ所には、本体枠１２に対して前扉枠１３を閉じた際に前扉枠１３背面の金具類（図５に示す補強板１３１〜１３４）に接触し、且つその金具類を本体枠１２側に導通させてアース（接地）するための金属片２８ａ，２８ｂが取り付けられている。従って、金属片２８ａ，２８ｂを通じて、前扉枠１３背面の金具類が本体枠１２側の施錠装置やヒンジ金具に導通され、これら施錠装置やヒンジ金具と共にアースされる。
【０１０６】
本体枠１２の左端側（開閉軸線側）には、前扉枠１３を開閉可能に支持するための支持機構として、上下一対の支持金具８１，８２が取り付けられている。上側の支持金具８１には手前側に切欠を有する支持孔８３が設けられ、下側の支持金具８２には上方へ突出する突起軸８４が設けられている。なお、支持金具８１，８２に支持される前扉枠１３の具体的構成については後述する。また、本体枠１２の右端側（開閉軸線とは反対側）には、前扉枠１３裏面側の開放端側に設けた上下一対の鉤金具１５５，１５６（図２参照）を挿入するための挿入孔８７，８８がそれぞれ設けられている。本パチンコ機１０では、本体枠１２や前扉枠１３を施錠状態とするための施錠装置が本体枠１２の裏面側に隠れて配置される構成となっている。従って、鉤金具１５５，１５６が挿入孔８７，８８を介して施錠装置に係止されることによって、前扉枠１３が本体枠１２に対して開放不能に施錠される。
【０１０７】
本体枠１２の右下隅部には、外枠１１に対する本体枠１２の施錠及び解錠、並びに本体枠１２に対する前扉枠１３の施錠及び解錠を行うための鍵部材としてのシリンダ錠９１が設置されている。シリンダ錠９１は施錠装置に一体化されており、施錠装置のうちシリンダ錠９１だけが本体枠１２の前方に突出した状態で設けられている。この場合、シリンダ錠９１は、遊技領域の最大幅となる位置とは異なる位置に設けられている。シリンダ錠９１は、本体枠１２の施解錠と前扉枠１３の施解錠とを共に賄う機能を有しており、鍵穴に差し込んだキーを左（反時計回り方向）に回すと本体枠１２の施錠が解かれ、逆にキーを右（時計回り方向）に回すと前扉枠１３の施錠が解かれるようになっている。
【０１０８】
図２に示すように、本体枠１２には、シリンダ錠９１を囲むようにして縦長状のカバー部材９２が取り付けられている。詳細な図示は省略するが、カバー部材９２には、その上端部及び下端部に係止部（フック）が形成されている。従って、上側の係止部を本体枠１２側に係止させると共に、下側の係止部を本体枠１２と前面板１４との間に挟み込むことにより、カバー部材９２が本体枠１２に取り付けられる。前扉枠１３には、カバー部材９２の形状に合わせて切欠部１４５が形成されており、前扉枠１３を閉鎖した状態ではこの前扉枠１３と共にカバー部材９２がパチンコ機前面部を構成する。なお、前扉枠１３を閉鎖したとき、カバー部材９２に形成された鍔部が前扉枠１３により押さえられ、カバー部材９２のがたつきが防止されるようになっている。
【０１０９】
次に、前扉枠１３について図１，図５を参照しつつ説明する。なお、図５は、前扉枠１３の背面図である。
【０１１０】
前扉枠１３には、遊技領域のほぼ全域を前方から視認することができるようにした視認窓としての窓部１０１が形成されている。窓部１０１は円形に近い略楕円形状をなし、より詳しくは、その左右側の略中央部が上下側に比べて緩やかに湾曲した形状となっている。
【０１１１】
前扉枠１３にはその周囲（例えばコーナー部分）に各種ランプ等の発光手段が設けられている。これら発光手段は、大当たり時や所定のリーチ時等における遊技状態の変化に応じて点灯、点滅のように発光態様が変更制御されることにより、遊技中の演出効果を高める役割を果たす。例えば、窓部１０１の周縁に沿ってＬＥＤ等の発光手段を内蔵した環状電飾部１０２が左右対称に設けられ、環状電飾部１０２の中央であってパチンコ機１０の最上部にはＬＥＤ等の発光手段を内蔵した中央電飾部１０３が設けられている。本パチンコ機１０では、中央電飾部１０３が大当たりランプとして機能し、大当たり状態時に点灯や点滅を行うことにより大当たり中であることを報知する。また、上皿２３周りにも、同じくＬＥＤ等の発光手段を内蔵した上皿電飾部１０４が設けられている。その他、中央電飾部１０３の左右側方には、賞球払出中に点灯する賞球ランプ１０５と所定のエラー時に点灯するエラー表示ランプ１０６とがそれぞれ設けられている。
【０１１２】
前扉枠１３には、窓部１０１の下方位置に貸球操作部１２０が配設されている。貸球操作部１２０には球貸しボタン１２１と、返却ボタン１２２と、度数表示部１２３とが設けられている。パチンコ機１０の側方に配置されたカードユニット（球貸しユニット）に紙幣やカード等を投入した状態で、貸球操作部１２０によって球貸し操作、カード返却操作及びカード度数の確認を行うことができる。すなわち、球貸しボタン１２１は、カード等（記録媒体）に記録された情報に基づいて貸出球を得るために操作されるものであり、カード等に残額が存在する限りにおいて貸出球が払い出される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機（いわゆる現金機）では貸球操作部１２０が不要となるが、かかる場合には、貸球操作部１２０の設置部分に飾りシール等が付されるようになっている。これにより、貸球操作部１２０を設けた本パチンコ機１０の構成において、カードユニットを用いたパチンコ機（いわゆるＣＲ機）と現金機との共用が可能となる。
【０１１３】
前扉枠１３の裏側には、窓部１０１を囲むようにして金属製の各種補強部材が設けられている。詳しくは、図５に示すように、前扉枠１３の裏側にあって窓部１０１の左右及び上下の外側にはそれぞれ補強板１３１，１３２，１３３，１３４が取り付けられている。これら補強板１３１〜１３４は相互に接触して連結されているが、図の左側及び上側の補強板１３２，１３３の連結部には直接の接触を避けるための樹脂パーツ１３５が介在されている。これにより、補強板１３１〜１３４による電気経路の閉じたループが切断され、ノイズの原因となる磁界の発生等が防止されている。
【０１１４】
図５の右側となる開閉軸線側の補強板１３１にはその上端部及び下端部に、本体枠１２に対する組付機構として、組付金具１５１，１５２が取り付けられている。そして、本体枠１２側の支持金具８１，８２（図３参照）に対して前扉枠１３側の組付金具１５１，１５２が取り付けられている。すなわち、下側の組付金具１５２には下面に開口する軸穴が形成されており、その軸穴に下側の支持金具８２の突起軸８４が挿入される一方、上側の組付金具１５１の軸部が上側の支持金具８１の支持孔８３に挿入されることにより、本体枠１２に対して前扉枠１３が開閉可能に支持されている。また、同補強板１３１にはその中間位置にフック状をなす係合爪１３１ａが設けられており、この係合爪１３１ａは、前扉枠１３を閉じた状態で本体枠１２の孔部１２ａ（図３参照）に挿入されるように構成されている。これにより、上皿２３を含む形態で前扉枠１３を構成し、その上下の軸支間隔を長くした本パチンコ機１０においても、中間位置における前扉枠１３の浮き上がりが防止できる。それ故、前扉枠１３を浮かしての不正行為等が抑制されるようになっている。
【０１１５】
図５の左側となる開閉軸線とは反対側の補強板１３２には鉤形状をなす上下一対の鉤金具１５５，１５６が取り付けられている。これら鉤金具１５５，１５６は、後方に延び、本体枠１２に設けた挿入孔８７，８８（図３参照）に対応するようにして設けられている。本体枠１２に対して前扉枠１３を閉鎖した際、鉤金具１５５，１５６が本体枠１２側の挿入孔８７，８８に挿入されて施錠装置により施錠状態とされるようになっている。
【０１１６】
下側の補強板１３４には、前記発射レール６１に対向する位置に樹脂ケース１３６が取り付けられている。樹脂ケース１３６には、前記貸球操作部１２０用の回路基板が収容されている。樹脂ケース１３６の背面（図５に見える面）は平坦状をなし、前扉枠１３を閉じた際に発射レール６１の側壁を構成するようになっている。故に、発射レール６１から遊技球が前方にこぼれ落ちることが防止される。
【０１１７】
下側の補強板１３４の一部を切り欠いた部位には、パチンコ機１０後方に向けて球通路樋１３８が設置されており、球通路樋１３８の少なくとも上方には、同じくパチンコ機１０後方に向けて延びる庇（ひさし）部１３９が設けられている。この場合、本体枠１２側に前扉枠１３を閉じた状態では、球通路樋１３８と庇部１３９との間に、本体枠１２側の連通口７２上辺に沿って延びる突条が入り込むようにして配置される。故に、球通路樋１３８より針金やフィルム等を侵入させて不正行為を行おうとしても、遊技領域にまで針金やフィルム等を侵入させることが非常に困難となる。結果として、針金やフィルム等を利用して行われる不正行為を防止することができる。
【０１１８】
上述した補強板１３１〜１３４はガラス支持用の金枠としての機能も兼ね備えており、これら補強板１３１〜１３４の内側が後方に折り返されてガラス保持溝が形成されている。ガラス保持溝は前後に２列形成されており、矩形状をなす前後一対のガラス１３７が各ガラス保持溝にて保持される。これにより、２枚のガラス１３７が前後に所定間隔を隔てて取着されている。
【０１１９】
前扉枠１３には、球案内通路の手前側開放部を被覆するためのレールカバー１４０が取り付けられている。レールカバー１４０は略円弧状をなす板体であって、透明な樹脂により形成されている。レールカバー１４０は、その円弧形状が前記球案内通路の形状に対応しており、窓部１０１の周縁部に沿って、球案内通路の基端部から先端部近傍までの区間を覆うようになっている。特にレールカバー１４０の内径側の寸法・形状は内レール部５１のそれにほぼ一致する。また、レールカバー１４０の右端部（すなわち、レールカバー１４０を前扉枠１３に取着した図５の状態で右端となる部位）には、球案内通路がガラス１３７の側縁部からはみ出した部分を被覆するための被覆部１４１が設けられている。以上のレールカバー１４０の構成により、前扉枠１３が閉じられた状態においては、レールカバー１４０の裏面が球案内通路のほぼ全域を覆うこととなって、遊技球が球案内通路外に飛び出したり、外レール部５２とガラス１３７との間にできる隙間に挟まってしまうといった不具合の発生を防止することができる。
【０１２０】
また、レールカバー１４０の下部裏側には、その内側縁に沿って円弧状に延び且つ後方へ向けて突出する突条１４２が形成されている。突条１４２は、前扉枠１３が閉じられた状態において、球案内通路内に入り込んだ状態で内レール部５１に重なり合うように配置される。従って、例えば前扉枠１３と本体枠１２との隙間から針金やフィルム等を侵入させて不正行為を行おうとしても、球案内通路の内側にある遊技領域にまで針金やフィルム等を侵入させることが非常に困難となる。その結果、針金やフィルム等を利用して行われる不正行為を防止することができる。なお、突条１４２をより広い範囲で、例えばレールカバー１４０の内側縁の全域に沿って形成する構成としても良く、かかる構成によれば、より広い範囲で針金やフィルム等を侵入させにくくなり、針金やフィルム等を利用して行われる不正行為をより確実に防止することができる。
【０１２１】
次に、パチンコ機１０の背面の構成を説明する。なお、図６はパチンコ機１０の背面図、図７はパチンコ機１０の背面構成を主要部品毎に分解して示す分解斜視図である。
【０１２２】
まず、パチンコ機１０の背面構成について全体の概要を説明する。パチンコ機１０の背面側には、各種制御装置（各種制御基板）が上下左右に並べられるようにして又は前後に重ねられるようにして配置されるとともに、遊技球を供給するための遊技球供給装置（払出機構）や樹脂製の保護カバー等が取り付けられている。本実施の形態では、各種制御装置を２つの取付台に分けて搭載して２つの制御基板ユニットを構成し、それら制御基板ユニットを個別に本体枠１２又は遊技盤３０の裏面に装着するようにしている。この場合、主制御装置２７１（主基板）と音声ランプ制御装置２７２（音声ランプ制御基板）とを一方の取付台に搭載してユニット化すると共に、払出制御装置３１１（払出制御基板）、発射制御装置３１２（発射制御基板）及び電源装置３１３（電源基板）を他方の取付台に搭載してユニット化している。以下においては、便宜上、前者のユニットを「第１制御基板ユニット２０１」と称し、後者のユニットを「第２制御基板ユニット２０２」と称することとする。また、払出機構及び保護カバーも１ユニットとして一体化され、一般に樹脂部分を裏パックと称することもあるため、ここではそのユニットを「裏パックユニット２０３」と称する。各ユニット２０１〜２０３の詳細な構成については後述する。
【０１２３】
第１制御基板ユニット２０１、第２制御基板ユニット２０２及び裏パックユニット２０３は、ユニット単位で何ら工具等を用いずに着脱できるよう構成されるとともに、一部に支軸部を設けて本体枠１２又は遊技盤３０の裏面に対して展開できる構成となっている。これは、各ユニット２０１〜２０３やその他構成が前後に重ねて配置された場合に隠れた部位を容易に確認することを可能とするための工夫でもある。実際には、図８の概略図に示すように、略Ｌ字状をなす第１制御基板ユニット２０１はパチンコ機１０のほぼ中央に配置され、その下方に第２制御基板ユニット２０２が配置されている。また、第１制御基板ユニット２０１に一部重複する領域に、裏パックユニット２０３が配置されている。
【０１２４】
第１制御基板ユニット２０１にはパチンコ機１０の背面から見て左端部に支軸部Ｍ１が設けられ、その支軸部Ｍ１による軸線Ａを中心に第１制御基板ユニット２０１が回動可能となっている。また、第１制御基板ユニット２０１には、その右端部すなわち支軸部Ｍ１の反対側となる開放端側に、ナイラッチ（登録商標）等よりなる締結部Ｍ２が設けられると共に上端部に係止爪部Ｍ３が設けられており、これら締結部Ｍ２及び係止爪部Ｍ３によって第１制御基板ユニット２０１がパチンコ機１０本体の裏面に沿った状態に保持されるようになっている。また、第２制御基板ユニット２０２にはパチンコ機１０の背面から見て右端部に支軸部Ｍ４が設けられ、その支軸部Ｍ４による軸線Ｂを中心に第２制御基板ユニット２０２が回動可能となっている。また、第２制御基板ユニット２０２には、その左端部すなわち支軸部Ｍ４の反対側となる開放端側に、ナイラッチ等よりなる締結部Ｍ５が設けられており、この締結部Ｍ５によって第２制御基板ユニット２０２がパチンコ機１０本体の裏面に沿った状態に保持されるようになっている。さらに、裏パックユニット２０３にはパチンコ機１０の背面から見て右端部に支軸部Ｍ６が設けられ、その支軸部Ｍ６による軸線Ｃを中心に裏パックユニット２０３が回動可能となっている。また、裏パックユニット２０３には、その左端部すなわち支軸部Ｍ６の反対側となる開放端側にナイラッチ等よりなる締結部Ｍ７が設けられるとともに、上端部及び下端部にそれぞれ回動式の係止部Ｍ８，Ｍ９が設けられており、これら締結部Ｍ７及び係止部Ｍ８，Ｍ９によって裏パックユニット２０３がパチンコ機１０本体の裏面に沿った状態に保持されるようになっている。
【０１２５】
各ユニット２０１〜２０３を回動可能に支持する支軸部Ｍ１，Ｍ４，Ｍ６は、各ユニット２０１〜２０３をパチンコ機１０の裏面から開いた状態で容易に取り外し可能なヒンジ構造となっている。簡単に説明すると、第１制御基板ユニット２０１については、締結部Ｍ２の締結及び係止爪部Ｍ３の係止を解除すると共に、当該ユニット２０１を軸線Ａを中心に回動させて展開し、その状態で持ち上げる。これにより、裏パックユニット２０３がない前提であれば、第１制御基板ユニット２０１を取り外すことができる。また、第２制御基板ユニット２０２については、締結部Ｍ５の締結を解除すると共に、当該ユニット２０２を軸線Ｂを中心に回動させて展開し、その状態で持ち上げる。これにより、第２制御基板ユニット２０２を取り外すことができる。さらに、裏パックユニット２０３については、締結部Ｍ７の締結及び係止部Ｍ８，Ｍ９の係止を解除すると共に、当該ユニット２０３を軸線Ｃを中心に回動させて展開し、その状態で持ち上げる。これにより、裏パックユニット２０３を取り外すことができる。
【０１２６】
ここで、各ユニット２０１〜２０３の展開方向は同一でなく、第１制御基板ユニット２０１は、パチンコ機１０の背面から見て左開きになるのに対し、第２制御基板ユニット２０２及び裏パックユニット２０３は、同右開きになるよう構成されている。この場合、第１制御基板ユニット２０１は、裏パックユニット２０３に一部重複して設けられるため、裏パックユニット２０３を開かないことには第１制御基板ユニット２０１を取り外すことが不可能であり、さらに言うと、第１制御基板ユニット２０１及び裏パックユニット２０３が各々逆方向に展開する構成であるため、裏パックユニット２０３を所定角度以上に大きく開いた状態又は同ユニット２０３を取り外した状態でなければ第１制御基板ユニット２０１を取り外すことが不可能である。従って、第１制御基板ユニット２０１を取り外すことに着目すると、他のユニット２０２，２０３に比べて取り外しが困難な構成となっている。さらに、施錠装置をキー操作して外枠１１に対して本体枠１２を開放しなければ、裏パックユニット２０３を開くことができない構成となっているため、より一層第１制御基板ユニット２０１の取り外しが困難なものとなっている。より具体的な構成については後述する。
【０１２７】
次に、本体枠１２及び遊技盤３０の裏面構成を説明する。なお、図９は本体枠１２に遊技盤３０を組み付けた状態でかつ前記各ユニット２０１〜２０３等を取り外した状態の構成を示す背面図、図１０は本体枠１２を後方より見た斜視図、図１１は遊技盤３０を後方より見た斜視図である。
【０１２８】
遊技盤３０は、樹脂ベース２５に囲まれた四角枠状の設置領域に裏面側より設置され、本体枠１２に設けられた複数（本実施の形態では４カ所）の係止固定具２１１，２１２によって後方へ脱落しないように固定されている。係止固定具２１１，２１２は手動で回動操作することができ、固定位置（ロック位置）と固定解除位置（アンロック位置）とに切り換えることができるよう構成されている。図９にはロック状態を示す。左右３カ所の係止固定具２１１は金属片を折り曲げ形成したＬ型の金具であり、遊技盤３０の固定状態で本体枠１２の外方へ張り出さないよう構成されている。なお、下部１カ所の係止固定具２１２は合成樹脂製のＩ型の留め具である。
【０１２９】
遊技盤３０の中央に配置される可変表示ユニット３５には、センターフレーム４３（図４参照）を背後から覆う合成樹脂製のフレームカバー２１３が後方に突出して設けられており、そのフレームカバー２１３の後端に、第１図柄表示装置４１と表示制御手段としての表示制御装置２１４とが前後に重ねられた状態で着脱可能に取り付けられている。フレームカバー２１３内には、センターフレーム４３に内蔵されたＬＥＤ等を駆動するためのＬＥＤ制御基板などが配設されている。
【０１３０】
遊技盤３０の裏面には、可変表示ユニット３５を取り囲むようにして集合板ユニット２１５が設けられている。集合板ユニット２１５は、薄板状の枠体として例えばＡＢＳ樹脂等の合成樹脂により成形されるベースを有し、そのベース面が遊技盤３０の裏面に当接されるようにして取り付けられている。集合板ユニット２１５には、各種入賞口に入賞した遊技球を回収するための遊技球回収機構や、各種入賞口等への遊技球の入賞を検知するための入賞検知機構などが設けられている。
【０１３１】
遊技球回収機構について説明すると、集合板ユニット２１５の下方には、前記一般入賞口３１、可変入賞装置３２、作動口３３の遊技盤開口部に対応し且つ下流側で１カ所に集合する回収通路２１６が形成されている。また、遊技盤３０の下方には、本体枠１２にポリカーボネート樹脂等の合成樹脂製の排出通路盤２１７が取り付けられており、排出通路盤２１７には排出球をパチンコ機１０外部の例えば遊技ホールの島設備等へ案内するための排出通路２１８が形成されている。従って、図９に仮想線で例示するように、一般入賞口３１等に入賞した遊技球は何れも集合板ユニット２１５の回収通路２１６を介して集合し、さらに排出通路盤２１７の排出通路２１８を介してパチンコ機１０外部に排出される。なお、アウト口３６も同様に排出通路２１８に通じており、何れの入賞口にも入賞しなかった遊技球も排出通路２１８を介してパチンコ機１０外部に排出される。上記構成では、遊技盤３０の下端面を境界にして、上方に集合板ユニット２１５（回収通路２１６）が、下方に排出通路盤２１７（排出通路２１８）が設けられており、排出通路盤２１７が遊技盤３０に対して前後方向に重複していない。従って、遊技盤３０を本体枠１２から取り外す際において、排出通路盤２１７が遊技盤取り外しの妨げになるといった不都合が生じることもない。
【０１３２】
なお、排出通路盤２１７は、パチンコ機１０前面の上皿２３の裏側に配置されており、上皿２３に至る球排出口（図２の球通路樋１３８）より針金やフィルム等を差し込み、さらにその針金やフィルム等を本体枠１２と排出通路盤２１７との隙間を通じて遊技領域側に侵入させるといった不正行為が考えられる。そこで、本パチンコ機１０では、図１０に示すように、排出通路盤２１７には、球通路樋１３８の上部位置に対応する高さ位置に、本体枠１２に重なり合うようにしてパチンコ機１０前方に延びるプレート２１９を設けた。従って、本体枠１２と排出通路盤２１７との隙間から針金やフィルム等を侵入させようとしてもそれがプレート２１９にて阻害され、遊技領域にまで針金やフィルム等を侵入させることが非常に困難となる。その結果、針金やフィルム等を利用して可変入賞装置３２を強制的に開放する等の不正行為を防止することができる。
【０１３３】
入賞検知機構について説明すると、集合板ユニット２１５には、遊技盤３０表側の一般入賞口３１と対応する位置に入賞口スイッチ２２１が設けられ、可変入賞装置３２と対応する位置に特定領域スイッチ２２２及びカウントスイッチ２２３が設けられている。特定領域スイッチ２２２は、大当たり中に可変入賞装置３２へ入賞した遊技球が特定領域に入ったことを判定するスイッチである。特定領域とはラウンドの更新可否を判定するための領域であり、Ｖゾーンとも称されている。カウントスイッチ２２３は、可変入賞装置３２に入賞した遊技球の数をカウントするスイッチである。また、作動口３３に対応する位置には作動口３３への遊技球の入賞を検知する作動口スイッチ２２４が設けられ、スルーゲート３４に対応する位置にはスルーゲート３４の遊技球の通過を検知するゲートスイッチ２２５が設けられている。入賞口スイッチ２２１及びゲートスイッチ２２５は電気配線を通じて盤面中継基板２２６に接続され、特定領域スイッチ２２２及びカウントスイッチ２２３は大入賞口中継基板２２７に接続されている。そして、盤面中継基板２２６及び大入賞口中継基板２２７が主制御装置２７１に接続されている。作動口スイッチ２２４は中継基板を介さずに直接主制御装置２７１に接続されている。その他図示は省略するが、可変入賞装置３２には、大入賞口の開閉扉を開放するための大入賞口ソレノイドと、入賞球を特定領域かその他の領域に振り分けるための振分板を駆動する入賞球振分板ソレノイドとが設けられ、作動口３３には、それに付随する電動役物を開放するための作動口ソレノイドが設けられている。
【０１３４】
上記入賞検知機構にて各々検出された検出結果は主制御装置２７１に取り込まれ、該主制御装置２７１よりその都度の入賞状況に応じた払出指令（遊技球の払出個数）が払出制御装置３１１に送信される。そして、払出制御装置３１１の出力により所定数の遊技球の払出が実行されるようになっている。ここで、従来のいわゆる証拠球方式では、各種入賞口に入賞した遊技球を入賞球処理装置に一旦集め、その入賞球処理装置で入賞球の存在を１つずつ順番に確認した上で払出を行うようにしていたが、本実施の形態のパチンコ機１０では、各種入賞口毎に遊技球の入賞を電気的に検知して払出が直ちに行われるようにしているため、払い出す遊技球が多量にあってもその払出をいち早く実施することが可能となるとともに、入賞球処理装置が不要となる。
【０１３５】
集合板ユニット２１５には、その右上部に盤用外部端子板２３０が設けられている。盤用外部端子板２３０には、第１図柄の変動が停止（確定）する毎に信号出力するための出力端子と、大当たり中又は第１図柄の変動時間短縮中に信号出力するための出力端子と、大当たり中に信号出力するための出力端子とが設けられている。そして、これらの出力端子を通じて、遊技ホール側の管理制御装置に対して遊技（遊技盤３０側の状態）に関する信号が出力される。盤用外部端子板２３０は、取り外し容易な状態で集合板ユニット２１５に取り付けられている。なお、図９に示すように、本体枠１２裏側の左下部には、打球槌等を備えるセットハンドル２２８及び発射モータ２２９が設けられている。
【０１３６】
集合板ユニット２１５には、第１制御基板ユニット２０１を取り付けるための取付機構が設けられている。具体的には、この取付機構として、遊技盤３０の裏面から見て左下隅部には上下方向に延びる軸受け金具２３１が設けられ、この軸受け金具２３１には同一軸線上に上下一対の軸受け孔２３１ａが形成されている。また、遊技盤３０において、軸受け金具２３１の右方には上下一対の被締結孔（具体的にはナイラッチの取付孔）２３２が設けられ、軸受け金具２３１の上方には係止爪片２３３が設けられている。
【０１３７】
本体枠１２の裏面には、第２制御基板ユニット２０２や裏パックユニット２０３を取り付けるための取付機構が設けられている。具体的には、本体枠１２にはその右端部に長尺状の軸受け金具２３５が取り付けられている。この軸受け金具２３５は補強部材としても機能する。図１２に示すように、軸受け金具２３５は遊技盤３０よりも下方へ延びる長尺板状の金具本体２３６を有し、その金具本体２３６より後方へ起立させるようにして、下部２カ所に第２制御基板ユニット２０２用の軸受け部２３７が形成されると共に、上部２カ所に裏パックユニット２０３用の軸受け部２３８が形成されている。これら軸受け部２３７，２３８にはそれぞれ同軸の軸受け孔が形成されている。なお、第２制御基板ユニット２０２用の軸受け部２３７と裏パックユニット２０３用の軸受け部２３８とを各々個別の軸受け金具で構成することも可能である。その他、第２制御基板ユニット２０２用の取付機構として、本体枠１２には、遊技盤３０設置領域よりも下方左端部に上下一対の被締結孔（具体的には、ナイラッチの取付孔）２３９が設けられている。また、裏パックユニット２０３用の取付機構として、本体枠１２には、遊技盤３０設置領域の左端部に上下一対の被締結孔（具体的には、ナイラッチの取付孔）２４０が設けられている。本体枠１２において遊技盤３０の左上方、右寄り上方及び右寄り下方の各位置には、遊技盤３０との間に裏パックユニット２０３を挟み込んで支持するための回動式の固定具２４１，２４２，２４３がそれぞれ設けられている。なお、裏パックユニット２０３は、その上部に大量の遊技球を貯留することから、裏パックユニット２０３の上部を支持するための固定具２４１，２４２に関しては特に十分な強度を持つ構成とするのが望ましく、本実施の形態では回動式の固定具を用いている。
【０１３８】
上記の如く本体枠１２の左右一側部（図９では右側部）には長尺状の軸受け金具２３５が設けられる一方、本体枠１２の左右他側部（図９では左側部）には施錠装置が設けられている。施錠装置は、上下方向に延び本体枠１２に固定された基枠２４７と、その基枠２４７に対して上下方向に移動可能に組み付けられた長尺状の連動杆２４８とを備え、基枠２４７の下部に前記シリンダ錠９１が一体化されている。連動杆２４８は、シリンダ錠９１の操作により上下いずれかの方向に移動する。連動杆２４８には、鉤形状をなす上下一対の鉤金具２４９が設けられており、外枠１１に対して本体枠１２を閉鎖した際には、鉤金具２４９が外枠１１側の支持金具（図示略）に係止され、施錠装置により施錠状態とされるようになっている。この場合、シリンダ錠９１の操作によって連動杆２４８が上方向に移動すると、外枠１１に対する本体枠１２の施錠が解除される。逆に、シリンダ錠９１の操作によって連動杆２４８が下方向に移動すると、本体枠１２に対する前扉枠１３の施錠が解除される。
【０１３９】
なお、本体枠１２の左右側部に軸受け金具２３５と施錠装置（基枠２４７、連動杆２４８等）とが振り分けられる上記構成において、これら軸受け金具２３５及び施錠装置（基枠２４７、連動杆２４８等）を配置するための領域を残した幅となるようにして、本体枠１２に前記遊技盤３０が取り付けられている。これによっても遊技領域の拡張が図られていることは前述した通りである。
【０１４０】
本体枠１２の背面における遊技盤３０の右下部には、後述する払出機構より払い出される遊技球を上皿２３、下皿１６又は排出通路２１８の何れかに振り分けるための遊技球分配部２４５が設けられている。遊技球分配部２４５は、左側の開口部２４５ａが第１排出口６６を介して上皿２３に通じ、中央の開口部２４５ｂが第２排出口６７を介して下皿１６に通じ、右側の開口部２４５ｃが排出通路２１８に通じるように、各通路が形成されている。遊技球分配部２４５は、本体枠１２に対してネジ等により強固に取り付けられている。従って、遊技球分配部２４５の設置部位における浮き上がりが防止され、隙間から針金やフィルム等を侵入させることによる不正行為が防止できるようになっている。なお、本体枠１２の下端部には、奥壁パネル１７の裏側に設置されたスピーカ２０の背後を囲むための合成樹脂製のスピーカボックス２４６が取り付けられており、スピーカボックス２４６がスピーカ音を後方へ逃さないように機能することで低音域の音質改善が図られている。
【０１４１】
次に、第１制御基板ユニット２０１の構成を図１３〜図２１に基づいて説明する。図１３は第１制御基板ユニット２０１の正面図、図１４は同ユニット２０１の背面図、図１５，図１６は同ユニット２０１の斜視図、図１７は同ユニット２０１の分解斜視図である。また、第１制御基板ユニット２０１を構成する各部材のうち、主制御装置２７１の構成を図１８に、取付台２５１の構成を図１９に、スペーサ部材２８５の構成を図２０に、それぞれ示す。図２１は遊技盤３０の裏面に第１制御基板ユニット２０１を取り付けた状態の正面図である。
【０１４２】
第１制御基板ユニット２０１は略Ｌ字状をなす台座部材としての取付台２５１を有し、取付台２５１に主制御装置２７１と音声ランプ制御装置２７２とが搭載されている。主制御装置２７１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、主基板が透明樹脂材料等よりなる被包手段としての基板ボックス２７３に収容されて構成されている。基板ボックス２７３は、略直方体形状のボックスベース（表ケース体）と該ボックスベースの開口部を覆うボックスカバー（裏ケース体）とを備えている。これらボックスベースとボックスカバーとは封印手段としての封印ユニット２７４によって開封不能に連結され、これにより基板ボックス２７３が封印されている。
【０１４３】
封印ユニット２７４はボックスベースとボックスカバーとを開封不能に連結する構成であれば任意の構成が適用できるが、ここでは図１８等に示すように、５つの封印部材が並べて設けられた構成となっており、この封印部材の長孔に係止爪を挿入することでボックスベースとボックスカバーとが開封不能に連結されるようになっている。封印ユニット２７４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、封印ユニット２７４を構成する５つの封印部材のうち、少なくとも一つの封印部材の長孔に係止爪を挿入することにより封印処理が行われる。そして、収容した主基板の不具合発生の際や主基板の検査の際など基板ボックス２７３を開封する場合には、係止爪が挿入された封印部材と他の封印部材との連結を切断する。これにより、基板ボックス２７３のボックスベースとボックスカバーとが分離され、内部の主基板を取り出すことができる。その後、再度封印処理する場合は他の封印部材の長孔に係止爪を挿入する。基板ボックス２７３の開封を行った旨の履歴を当該基板ボックス２７３に残しておけば、基板ボックス２７３を見ることで不正な開封が行われた旨が容易に発見できる。
【０１４４】
また、基板ボックス２７３において、封印ユニット２７４と反対側の短辺部には、その封印ユニット２７４とは別に基板ボックス２７３を封印するための封印部２７５が上下２カ所に設けられている。この封印部２７５は、本パチンコ機１０が工場で製造された後、遊技ホール等まで搬送されるまでの不正行為を抑止するための搬送用封印部であり、パチンコ機１０の工場出荷時に同封印部２７５に対する封印処理が施される。そして、同パチンコ機１０のホール搬送後において主制御装置２７１の検査確認等の目的で封印部２７５の封印が解除され基板ボックス２７３が開放された場合には、再度使われることはなくそのまま放置される。遊技ホールでの設置後は、前述の封印ユニット２７４で封印処理が行われることによって基板ボックス２７３の不正な開封が防止される。
【０１４５】
基板ボックス２７３の上端部には、上方に突出するようにして複数（本実施の形態では４つ）の結合片２７６が設けられている。結合片２７６は、連結部２７６ａによって基板ボックス２７３のボックスベース（又はボックスカバー）に連結されており、後述するように結合片２７６を封印部（カシメ部）として用いる場合において、連結部２７６ａが破断用工具により破断可能となっている。
【０１４６】
図１８の（ｂ）に示すように、基板ボックス２７３の背面部は平坦面となっており、その背面部には、円柱状の突起２７７が１カ所に設けられるとともに、左右２カ所に締結部材としての回動操作式の係止具２７８が設けられている。突起２７７は、複数種類存在する主制御装置２７１ごとに個別の特定位置（例えば、５つの規定ポジションのうちいずれか）に形成されている。また、係止具２７８は、基板ボックス２７３の裏面に立設された支軸２７８ａにより回動可能となっており、該係止具２７８は９０度の角度範囲内で回動となっている。この場合、係止具２７８は、横一文字状となる位置と縦一文字状となる位置との間で回動される。
【０１４７】
音声ランプ制御装置２７２は、例えば主制御装置２７１又は表示制御装置２１４からの指示に従い音声やランプ表示の制御を司るＣＰＵや、その他ＲＯＭ、ＲＡＭ、各種ポート等を含む音声ランプ制御基板を具備しており、音声ランプ制御基板が透明樹脂材料等よりなる基板ボックス２８１に収容されて構成されている。音声ランプ制御装置２７２上には電源中継基板２８２が搭載されており、電源装置３１３の電源が電源中継基板２８２を介して表示制御装置２１４及び音声ランプ制御装置２７２に供給されるようになっている。主制御装置２７１の基板ボックス２７３及び音声ランプ制御装置２７２の基板ボックス２８１は何れもケース部材に相当する。
【０１４８】
また、図１９において、取付台２５１はポリカーボネート樹脂等の合成樹脂製であり、全体に無色透明となっている。ただし、取付台２５１は緑や青等に着色されて不透明又は半透明であっても良い。取付台２５１には平坦板状をなす２つの基板装着部２５２，２５３が設けられている。これら基板装着部２５２，２５３は縦横に直交する向きに延び、パチンコ機１０の前後方向に段差をもって形成されている。具体的には、一方の基板装着部２５２は左右方向に延びる略長方形状の平板部よりなり、他方の基板装着部２５３は上下方向に延びる略長方形状の平板部よりなる。また、基板装着部２５２，２５３は、取付台２５１の表側（パチンコ機１０への設置状態で言えばパチンコ機後方に向く側）が基板搭載面２５２ａ，２５３ａとなっており、それら基板搭載面２５２ａ，２５３ａには、取付台２５１の表側から見て基板装着部２５２の基板搭載面２５２ａが手前側となるようにして２０〜３０ｍｍ程度の段差が設けられている。
【０１４９】
基板装着部２５２には、その下端部に基板搭載面２５２ａ側に起立した起立部２５４が形成されるとともに、その上端部に複数（本実施の形態では４つ）の被結合片２５５が形成されている。また、基板装着部２５２には、複数（本実施の形態では５つ）の位置合わせ孔２５６が横並びに形成されるとともに、左右２カ所に横長形状の貫通孔２５７が形成されている。
【０１５０】
位置合わせ孔２５６はそれぞれ切除可能な切除片を有する孔部となっており、都度使用される主制御装置２７１に応じて複数の位置合わせ孔２５６のうち１つの切除片が打ち抜かれ開放される。本構成によれば、基板装着部２５２に本来装着されるべき主制御装置２７１を装着しようとする場合には、同主制御装置２７１の基板ボックス背面に設けた突起２７７の位置と、開放された位置合わせ孔２５６の位置とが一致し、主制御装置２７１が支障なく装着できる。これに対し、基板装着部２５２に間違った主制御装置２７１を装着しようとする場合には、同主制御装置２７１の突起２７７の位置と、開放された位置合わせ孔２５６の位置とが不一致となり、主制御装置２７１の装着が不可となっている。これにより、基板装着部２５２に装着されるべき主制御装置２７１の組み付け間違いが防止されるようになっている。例えば、パチンコ機１０の機種が相違する場合や、同一機種であっても型式等が異なる場合において、それら機種や型式ごとに主制御装置２７１の突起２７７の位置を換えるようにしておけば、機種ごと或いは型式ごとの組み付け間違いが防止できる。
【０１５１】
主制御装置２７１を基板装着部２５２に搭載する際には、横長となる向きに主制御装置２７１が配置される。このとき、主制御装置２７１の下辺側を起立部２５４上に載せた状態で、基板装着部２５２の左右の貫通孔２５７に係止具２７８を挿通させるとともに、位置合わせ孔２５６（複数の同孔のうち開放された孔）に突起２７７を挿通させるようにして主制御装置２７１を基板装着部２５２上に装着する。そして、基板装着部２５２の背後にて係止具２７８を９０度回動させてロック位置に操作する。この係止具２７８の回動操作によって、基板装着部２５２上にて取り外し不能に主制御装置２７１が装着できる。この場合、第１制御基板ユニット２０１の裏面側から再び係止具２７８を回動操作してアンロック位置に戻さなければ（ロック解除しなければ）、主制御装置２７１を取り外すことができないため、基板取り外し等の不正行為に対して抑止効果が得られる。
【０１５２】
また、基板装着部２５２上に主制御装置２７１を装着した状態では、主制御装置２７１の結合片２７６と取付台２５１側の被結合片２５５とが前後で重なるようにして合致する。この場合、４組の結合片２７６及び被結合片２５５のうち、１つに封印ネジがねじ込まれることで、主制御装置２７１と取付台２５１との間で封印処理が施される。結合片２７６及び被結合片２５５にはそれぞれ、封印ネジのネジ部よりも小径の貫通孔が形成されており、封印ネジがねじ込まれる際には、当該封印ネジによりねじ切りが行われつつネジの締め付けが行われる。
【０１５３】
図示は省略するが、封印ネジは、ドライバ等の締付け工具による締付け時に所定の締付け力以上の負荷がかかると頭部が破断される、いわゆる破断ネジであり、結合片２７６及び被結合片２５５の封印時にネジ頭部が破断されることで、その後はドライバ等によるネジの緩め作業が不可となる。この場合、封印を解除するには、結合片２７６の連結部２７６ａを破断しなければならず、その破断により封印解除の履歴が残るようになっている。
【０１５４】
破断ネジに代えて、所定の締付け方向にはねじ回しができるが、その逆の緩め方向にはねじ回しができない、いわゆる一方向ネジ（ワンウェイネジとも称される）を用いることも可能である。なお、基板装着部２５２には、封印ネジのストックを備えておくための封印ネジ備蓄部２５８が設けられている。
【０１５５】
また、他方の基板装着部２５３には、縦長となる向きに音声ランプ制御装置２７２が配置される。このとき、音声ランプ制御装置１７２は、複数箇所でネジ等により位置決めされかつ固定されるようになっている。
【０１５６】
取付台２５１を遊技盤３０の背面側に取り付けた状態では、２つの基板装着部２５２，２５３が遊技盤３０から離間するようになっており、そのための構成として、基板装着部２５２，２５３において基板搭載面２５２ａ，２５３ａとは逆側（取付台２５１の背面側）に延びる脚部が設けられている。この脚部は、大まかにいって取付台２５１の下側に設けられる下側脚部２６１と、同取付台２５１の上側に設けられる上側脚部２６２とからなる。詳しくは、下側脚部２６１は、左右の側辺部２６１ａ，２６１ｂとその側辺部２６１ａ，２６１ｂ間に設けられる下辺部２６１ｃとからなる。左右の側辺部２６１ａ，２６１ｂは、脚部としての長さ方向の寸法が相違しており、側辺部２６１ａの方が側辺部２６１ｂよりも長くなっている。この違いは、２つの基板装着部２５２，２５３における高さ位置の違いによる。これら左右の側辺部２６１ａ，２６１ｂ及び下辺部２６１ｃからなる下側脚部２６１は連続的に一体成形されており、基板装着部２５２，２５３の背後部分への侵入を阻止するための遮蔽部ともなっている。つまり、本取付台２５１を遊技盤３０の背面側に取り付けた状態（特に遊技盤３０に対して取付台２５１を閉じた状態）では基板装着部２５２の背後に背後空間が形成されるが、下側脚部２６１によってその背後空間に対する不正道具等の侵入が阻止されるようになっている。また、基板装着部２５２の背後空間における不正基板等の取り付けも阻止できる。
【０１５７】
下側脚部２６１において、一方の側辺部２６１ａには、上下一対の掛止ピン２６３が設けられており、この掛止ピン２６３を前記集合板ユニット２１５の軸受け金具２３１に取り付けることで、第１制御基板ユニット２０１が遊技盤３０に対して回動可能に片持ち支持されるようになっている。また、同じく側辺部２６１ａには、各制御装置や遊技盤３０から延びる電気配線を束ねるための結束具２６４が取り付けられている。他方の側辺部２６１ｂには、前記集合板ユニット２１５の被締結孔２３２にはめ込まれる締結具として上下一対のナイラッチ２６５が設けられている。なお、同側辺部２６１ａは、第１制御基板ユニット２０１の支軸部を構成する部位であるため、その補強ために壁板が二重構造となっている。
【０１５８】
また、上側脚部２６２は、基板装着部２５３の上端部に設けられており、その基端部２６７には長孔２６７ａが形成されている。長孔２６７ａは、前記集合板ユニット２１５の係止爪片２３３に対応する位置に設けられている。
【０１５９】
したがって、取付台２５１を遊技盤３０の背面側（実際には集合板ユニット２１５）に取り付けた場合には、下側脚部２６１及び上側脚部２６２の先端部が遊技盤３０の背面側（集合板ユニット２１５）に当接する。そしてこのとき、ナイラッチ２６５が被締結孔２３２にはめ込まれるとともに、長孔２６７ａによって係止爪片２３３が係止されることで、第１制御基板ユニット２０１が遊技盤３０に固定される。なお、軸受け金具２３１及び掛止ピン２６３が前記支軸部Ｍ１に、被締結孔２３２及びナイラッチ２６５が前記締結部Ｍ２に、係止爪片２３３及び長孔２６７ａが前記係止爪部Ｍ３にそれぞれ相当する。
【０１６０】
上記のとおり、取付台２５１を遊技盤３０に取り付けた状態で２つの基板装着部２５２，２５３が遊技盤３０から離間するよう構成されていることにより、その取り付け状態下においては、取付台２５１の背後（基板装着面２５２ａ，２５３ａとは逆側）に所定の空間領域が形成されるようになっている。かかる場合、その空間領域を用いることで、遊技盤３０の背面側に設けられる各種役物（例えば、始動入賞装置や可変入賞装置など）、中継基板等の基板装置、各種配線などが効率良く配置できるようになっている。このとき、取付台２５１の背後に形成される空間領域が大きければ、遊技盤３０の背面側に設けられる各種役物や基板装置等が増えたり、大きくなったりしてもそれに容易に対処できる。故に、異なる機種又は型式のパチンコ機に対して共有使用する上で有利となるとも考えられる。
【０１６１】
ただしその反面、取付台２５１の背後の空間領域が不正目的で悪用されることが懸念される。具体的には、上記空間領域に不正基板などが取り付けられることが懸念される。なお、取付台２５１の背後空間は下側脚部２６１の遮蔽機能により遮蔽されるため、手や工具類の差し入れが阻止されると考えられるが、取付台２５１の背後空間の存在によって、不正基板等の設置可能領域ができることにもなる。また、取付台２５１が有色である場合等においては、下側脚部２６１の遮蔽機能により、却って一旦取り付けられた不正基板等の発見が困難になるといったデメリットも想定される。
【０１６２】
そこで本実施の形態では、取付台２５１の背後の空間領域にスペーサ部材２８５を配し、当該空間領域を埋めることで不正対策を講じることとする。そのスペーサ部材２８５の構成を図２０により説明する。
【０１６３】
図２０に示すように、スペーサ部材２８５は、全体として中空ブロック状の立体形状をなしており、相対向する表裏両側のうち表側（取付台２５１側）は閉ざされた面になっているのに対し、裏側（取付台２５１とは反対側）は開放された面となっている。スペーサ部材２８５は、無色透明の合成樹脂材料により成形されている。スペーサ部材２８５の表側面の面積は、概ね取付台２５１の基板装着部２５２の面積に合致している。また、スペーサ部材２８５の厚さは、取付台２５１の脚部の長さとほぼ同じ、又は取付台２５１の脚部の長さよりも若干小さい長さ寸法となっている。故に、スペーサ部材２８５は、取付台２５１の基板装着部２５２の背後空間とほぼ同じ占有体積を有し、該背後空間に丁度収まるようになっている。
【０１６４】
スペーサ部材２８５には格子状の多数のリブ２８６が形成されており、その多数のリブ２８６によって、空間状の一つ一つの塊として比較的大きなものが形成されないようになっている。つまり、空間が細分化されている。また、多数のリブ２８６を設けることにより、空間の細分化といった所望とする効果を得つつ、スペーサ部材２８５の重量軽減を図ることができるようになっている。この場合、スペーサ部材２８５が透明材料により成形されているために、仮にリブ２８６の一部が切除されたとしても、その発見が容易となっている。
【０１６５】
スペーサ部材２８５の相対向する表裏両側のうち、閉ざされた面と開放された面とを逆にすることも可能である。つまり、スペーサ部材２８５の相対向する表裏両側のうち、表側（取付台２５１側）を開放された面とし、裏側（取付台２５１とは反対側）を閉ざされた面とする。又は、スペーサ部材２８５の相対向する表裏両側をいずれも、閉ざされた面若しくは開放された面とすることも可能である。なお、両方を閉ざされた面とするには、平板状の板材が後付けされると良い。
【０１６６】
スペーサ部材２８５の裏側（取付台２５１とは反対側）を閉ざされた面とすることにより、ニッパ等の道具によりリブ２８６を切除したりする行為が困難なものとすることができる。したがって、リブ２８６により細分化された空間が不正に拡張されないようになる。
【０１６７】
スペーサ部材２８５の表側（取付台２５１側）には、取付台２５１に装着した際において主制御装置２７１側の突起２７７との干渉を回避するための切欠溝２８７が設けられている。このとき、主制御装置２７１に設けられる突起２７７は、あらかじめ定められた５カ所の規定ポジションのうちいずれかに設けられるようになっており、それら５カ所の規定ポジションに対応できるよう切欠溝２８７が５本設けられている。この切欠溝２８７は、取付台２５１の基板装着部２５２の背面に沿わせてスペーサ部材２８５をスライド装着する場合の案内溝としての機能と、スペーサ部材２８５の装着位置を決定するための位置決め機能とを有する。また、同スペーサ部材２８５には、取付台２５１に装着した際において主制御装置２７１側の係止具２７８との干渉を回避するために矩形状の切欠部２８８が２カ所に形成されるとともに、取付台２５１に設けた封印ネジ備蓄部２５８との干渉を回避するために矩形状の切欠部２８９が１カ所に形成されている。
【０１６８】
また、スペーサ部材２８５の表側（取付台２５１側）には、取付台２５１に対して当該スペーサ部材２８５を係止固定するための左右一対の係止片２９１が形成されるとともに、主制御装置２７１に対して当該スペーサ部材２８５を係止固定するための左右一対の係止片２９２が形成されている。係止片２９２は、係止片２９１に挟まれるようにしてスペーサ部材２８５の中央部に設けられている。
【０１６９】
なお、前述のとおりスペーサ部材２８５の表側は基本的に閉じた面となっているが、係止片２９２に対応する一部のみ開放されている（符号２９３）。
【０１７０】
また、スペーサ部材２８５の上端部には結合突起２９５が設けられている。結合突起２９５は、当該スペーサ部材２８５と取付台２５１との間で封印処理を施すための封印部材に相当する。すなわち、取付台２５１の背面側にスペーサ部材２８５を装着した状態では、スペーサ部材２８５の結合突起２９５と取付台２５１側の被結合片２５５の一つとが前後で重なるようにして合致する。そして、結合突起２９５及び被結合片２５５に封印ネジがねじ込まれることで、スペーサ部材２８５と取付台２５１との間で封印処理が施される。封印ネジとしては破断ネジや一方向ネジ（ワンウェイネジ）が用いられる。この場合、封印処理が施された後は、所定の破壊行為を行わなければその封印処理を解除することができない。故に、仮に不正に封印処理が解除された後は、その不正の痕跡が残るようになっている。
【０１７１】
なお、結合突起２９５には、前述した結合片２７６及び被結合片２５５（主制御装置２７１と取付台２５１とを封印処理するための封印部）と同様に、封印ネジのネジ部よりも小径の貫通孔が形成されており、封印ネジがねじ込まれる際には、当該封印ネジによりねじ切りが行われつつネジの締め付けが行われる。このとき、結合突起２９５等に形成される各貫通孔は元々ねじ切り前の孔部であり、スペーサ部材２８５の装着状態では単に前後に貫通するのみである。要するに、当該貫通孔に対しては、前後いずれの方向からも封印ネジのねじ込みが可能となっている。これにより、主制御装置２７１と取付台２５１とを封印処理する場合には取付台２５１の表側（パチンコ機装着状態では後方側）からネジ締結を行い、スペーサ部材２８５と取付台２５１とを封印処理する場合には取付台２５１の裏側（パチンコ機装着状態では前方側）からネジ締結を行うといった構成にあっても、各々のネジ締結を容易にかつ確実に行うことができる。
【０１７２】
ここで、図１５及び図１６に示すように、取付台２５１の基板装着部２５２の背面側にスペーサ部材２８５が組み付けられる。このとき、スペーサ部材２８５は、基板装着部２５２の背面に沿わせてスライドさせることで取付台２５１に組み付けられ、その際係止片２９１，２９２によって取付台２５１及び主制御装置２７１に係止固定される。このスペーサ部材２８５の組付状態では、取付台２５１の基板装着部２５２の背後空間がスペーサ部材２８５によって埋められることになる。故に、取付台２５１の基板装着部２５２の背後側においては、不正基板等を設置する余地が無くされるようになっている。
【０１７３】
第１制御基板ユニット２０１をパチンコ機１０裏面に搭載した状態を想定しても、上記のとおり取付台２５１の基板装着部２５２の背後空間がスペーサ部材２８５によって埋められているため、取付台２５１の背後の空間領域が不正目的で悪用されることが抑制できる。また、制御基板ユニット２０１は、絵柄表示ユニットとしての可変表示ユニット３５に隣接して配置されているため、基板装着部２５２の背後空間に通じる開口部のうち上側の開口部が可変表示ユニット３５によって塞がれており、スペーサ部材２８５に対する不正行為も困難なものとなっている。つまり、スペーサ部材２８５を不正に取り外したり、同スペーサ部材２８５の一部を切除したりする行為ができなくなっている。
【０１７４】
なお、取付台２５１の背後の空間領域を、各種役物や基板装置の設置領域として活用する場合には、スペーサ部材２８５を設置することなく実現することも可能である。
【０１７５】
また、第１制御基板ユニット２０１をパチンコ機１０裏面に搭載した状態では、当該制御基板ユニット２０１の上部がカバー部材としての裏パックユニット２０３により覆われるため、これによっても取付台２５１の背後に手や工具などを差し入れることの困難性が増すようになっている。
【０１７６】
前述した通り、第１制御基板ユニット２０１は、裏パックユニット２０３を所定角度以上に大きく開いた状態又は同ユニット２０３を取り外した状態でなければ取り外すことが不可能であり、また、施錠装置を正しくキー操作して外枠１１に対して本体枠１２を開放しなければ、裏パックユニット２０３を開くことができない構成となっている。つまり、本体枠１２を開くことができなければ、結果的に第１制御基板ユニット２０１を回動させたり取り外すことができず、ひいては主制御装置２７１の取り外しも不可能となる。それ故、主制御装置２７１の不正な載せ替えや盗難等を効果的に防止することができる。施錠装置を正しくキー操作して外枠１１に対して本体枠１２を開放することが、裏パックユニット２０３を開放するための開放条件となっている。
【０１７７】
ここで、主制御装置２７１及び音声ランプ制御装置２７２の配置に関して説明する。主制御装置２７１用の基板装着部２５２と音声ランプ制御装置２７２用の基板装着部２５３とは互いに平行な平坦面にて構成され、パチンコ機１０の裏面から見てＬ字状に直交するようにして形成されている。このとき、図２１に示すように、遊技盤３０中央の可変表示ユニット３５を迂回するようにして各基板装着部２５２，２５３が形成され、さらに、遊技盤３０の下辺及び左辺に沿うようにして各基板装着部２５２，２５３が形成されている。また、これら基板装着部２５２，２５３は前後方向に見て段差状に形成されている。
【０１７８】
各基板装着部２５２，２５３に主制御装置２７１及び音声ランプ制御装置２７２が搭載されると、主制御装置２７１はパチンコ機１０裏面から見て手前側に配置され、音声ランプ制御装置２７２はその奥側に配置される。この場合、基板装着部２５２，２５３がパチンコ機１０の前後方向に段差をもって形成されているため、これら基板装着部２５２，２５３に主制御装置２７１及び音声ランプ制御装置２７２を搭載した状態において各制御装置２７１，２７２はその一部が前後に重ねられて配置される。つまり、図１５等にも見られるように、主制御装置２７１はその一部（本実施の形態では１／３程度）が浮いた状態で配置される。故に、主制御装置２７１に重なる領域まで音声ランプ制御装置２７２を拡張することが可能となり、また別の見方をすれば音声ランプ制御装置２７２に重なる領域まで主制御装置２７１を拡張することが可能となり、パチンコ機１０という限られた大きさの中にあっても、各制御装置２７１，２７２の大型化に良好に対処できるとともに、各制御装置２７１，２７２を効率良く設置できる。なおこの場合、各基板装着部２５２，２５３の段差を音声ランプ制御装置２７２の高さ寸法よりも大きくしている。故に、各制御装置２７１，２７２を立体配置したとしても、その高さ方向で干渉するといった不都合も生じない。また、第１制御基板ユニット２０１を遊技盤３０に装着した状態では、基板装着部２５２の後方にスペースが確保され、可変入賞装置３２やその電気配線等が無理なく設置できるようになっている。
【０１７９】
また、上記のとおり主制御装置２７１及び音声ランプ制御装置２７２の一部を上下（パチンコ機１０においては前後）に重ね、主制御装置２７１の一部を基板装着部から浮かせた状態としたことにより、取付台２５１において主基板用の基板装着部２５２の背後空間が比較的大きくなる。このとき、主制御装置２７１の背後部分と、音声ランプ制御装置２７２の背後部分とを比べると、前者の方がパチンコ機前後方向に拡張されたものとなっている。故に、不正行為のターゲットともなり得る空間領域ができてしまうが、上記のようにスペーサ部材２８５を取り付けることにより、不正行為を困難なものにすることができる。
【０１８０】
次に、第２制御基板ユニット２０２の構成を図２２〜図２４に基づいて説明する。図２２は第２制御基板ユニット２０２の正面図、図２３は同ユニット２０２の斜視図、図２４は同ユニット２０２の分解斜視図である。
【０１８１】
第２制御基板ユニット２０２は横長形状をなす取付台３０１を有し、取付台３０１に払出制御装置３１１、発射制御装置３１２、電源装置３１３及びカードユニット接続基板３１４が搭載されている。払出制御装置３１１及び発射制御装置３１２は制御の中枢をなすＣＰＵや、その他ＲＯＭ、ＲＡＭ、各種ポート等を含む制御基板を具備している。払出制御装置３１１の払出制御基板により、賞品球や貸出球の払出が制御される。発射制御装置３１２の発射制御基板により、遊技者による遊技球発射ハンドル１８の操作に従い発射モータ２２９の制御が行われる。また、電源装置３１３の電源基板により、各種制御装置等で要する所定の電源電圧が生成され出力される。カードユニット接続基板３１４は、パチンコ機前面の貸球操作部１２０及び図示しないカードユニットに電気的に接続され、主として遊技者による球貸し操作の指令を取り込んでそれを払出制御装置３１１に出力するものである。なお、カードユニットを介さずに球貸し装置等から上皿に遊技球が直接貸し出される現金機では、カードユニット接続基板３１４は不要である。
【０１８２】
上記払出制御装置３１１、発射制御装置３１２、電源装置３１３及びカードユニット接続基板３１４は、透明樹脂材料等よりなる基板ボックス３１５，３１６，３１７，３１８にそれぞれ収容されて構成されている。特に、払出制御装置３１１では、主制御装置２７１と同様、被包手段を構成する基板ボックス３１５がボックスベースとボックスカバーとを備え、それらが封印手段としての封印ユニット３１９によって開封不能に連結され、これにより基板ボックス３１５が封印されている。払出制御装置３１１には状態復帰スイッチ３２１が設けられている。例えば、後述する払出モータの球詰まり等、払出エラーの発生時において状態復帰スイッチ３２１が押下されると、払出モータが正逆回転され、球詰まりの解消（正常状態への復帰）が図られるようになっている。電源装置３１３にはＲＡＭ消去スイッチ３２３が設けられている。本パチンコ機１０は各種データのバックアップ機能を有しており、万一停電が発生した際でも停電時の状態を保持し、停電からの復帰（復電）の際には停電時の状態に復帰できるようになっている。従って、例えば遊技ホールの営業終了の場合のように通常手順で電源を遮断すると遮断前の状態が記憶保持されるが、ＲＡＭ消去スイッチ３２３を押しながら電源を投入すると、ＲＡＭデータが初期化されるようになっている。
【０１８３】
取付台３０１は例えば無色透明な樹脂成型品よりなり、その表面に平坦状をなす基板搭載面３０２が設けられている。基板搭載面３０２には、発射制御装置３１２、電源装置３１３及びカードユニット接続基板３１４が横並びとなった状態で搭載され、ネジ等で固定されている。電源装置３１３の基板ボックス３１７上には略平板状の台座プレート３０３が載置されるとともに台座プレート３０３上に払出制御装置３１１が搭載され、ネジ等で固定されている。払出制御装置３１１と電源装置３１３との間には台座プレート３０３が介在するため、例えばノイズ除去用の金属プレート等を設置するには台座プレート３０３に金属プレート等を取り付ければ良く、ノイズ対策が簡単に実現できる。
【０１８４】
取付台３０１には、パチンコ機１０後方からみて右端部に上下一対の掛止ピン３０５が設けられており、掛止ピン３０５を前記軸受け部２３７に上方から挿通させることで、第２制御基板ユニット２０２が本体枠１２に対して回動可能に片持ち支持される。取付台３０１の左端部には締結具として上下一対のナイラッチ３０６が設けられており、ナイラッチ３０６を前記被締結孔２３９にはめ込むことで、第２制御基板ユニット２０２が本体枠１２に固定される。なお、軸受け部２３７及び掛止ピン３０５が前記支軸部Ｍ４に、被締結孔２３９及びナイラッチ３０６が前記締結部Ｍ５に、それぞれ相当する。
【０１８５】
次に、裏パックユニット２０３の構成を図２５及び図２６に基づいて説明する。図２２は裏パックユニット２０３の正面図、図２３は裏パックユニット２０３の分解斜視図である。
【０１８６】
裏パックユニット２０３は、裏パック３５１と遊技球の払出機構部３５２とが一体化されることにより構成されている。裏パック３５１は例えばＡＢＳ樹脂等の合成樹脂により一体成型されており、略平坦状のベース部３５３と、パチンコ機１０後方に突出し横長の略直方体形状をなす保護カバー部３５４とを有する。保護カバー部３５４は左右側面及び上面が閉鎖され且つ下面のみが開放された形状をなし、少なくとも可変表示ユニット３５を囲むのに十分な大きさを有する。但し、本実施の形態では、前述の音声ランプ制御装置２７２も併せて囲む構成となっている。保護カバー部３５４の背面には多数の通気孔３５４ａが設けられている。通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の表示制御装置２１４等を露出させることで、所定の検定等を容易に実施することができるようになっている。
【０１８７】
裏パック３５１のベース部３５３には、保護カバー部３５４を迂回するようにして払出機構部３５２が配設されている。すなわち、裏パック３５１の最上部には上方に開口したタンク３５５が設けられており、タンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、タンクレール３５６の下流側には上下方向に延びるケースレール３５７が連結されている。払出装置３５８はケースレール３５７の最下流部に設けられ、払出制御装置３１１の制御により払出モータ３５８ａが駆動されて必要個数の遊技球の払出が適宜行われる。払出装置３５８より払い出された遊技球は払出通路３５９等を通じて前記上皿２３等に供給される。なお、図示は省略するが、ケースレール３５７の上流部には、タンク３５５やタンクレール３５６から供給される遊技球の有無を検出するタンク球無しセンサが設けられている。また、払出装置３５８には、払出モータ３５８ａの回転を検出する払出回転センサと、払い出される遊技球数をカウントする払出カウントスイッチとが設けられている。
【０１８８】
タンクレール３５６には、当該タンクレール３５６に振動を付加するためのバイブレータ３６０が取り付けられている。バイブレータ３６０は、バイブモータとそのバイブモータを収容する合成樹脂製のケースとによりユニット化されており、２本の脚部３６０ａでタンクレール３５６に取り付けられている。従って、仮にタンクレール３５６付近で球詰まりが生じた際、バイブレータ３６０が駆動されることで球詰まりが解消されるようになっている。
【０１８９】
また、払出機構部３５２には、払出制御装置３１１から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４ボルトの主電源が供給され、電源スイッチ３８２ａの切替操作により電源ＯＮ又は電源ＯＦＦとされるようになっている。
【０１９０】
タンク３５５から払出通路３５９に至るまでの払出機構部３５２は何れも導電性を有する合成樹脂材料、例えば導電性ポリカーボネート樹脂にて成形され、その一部にてアースされている。これにより、遊技球の帯電によるノイズの発生が抑制されるようになっている。
【０１９１】
裏パック３５１には、その右上部に枠用外部端子板３９０が設けられている。枠用外部端子板３９０には、タンク３５５やタンクレール３５６で遊技球が不足した場合に信号出力するための出力端子、所定個数の賞球を払い出す毎に信号出力するための出力端子、所定個数の遊技球を貸し出す毎に信号出力するための出力端子、本体枠１２の開放時に信号出力するための出力端子、及び前扉枠１３の開放時に信号出力するための出力端子が設けられている。そして、これらの出力端子を通じて、遊技ホール側の管理制御装置に対して枠側の状態に関する信号が出力される。なお、所定個数の遊技球を貸し出す毎に信号出力するための出力端子はいわゆる現金機においては不要である。
【０１９２】
裏パック３５１には、枠用外部端子板３９０に隣接して略四角形状の窓部３９１が設けられている。従って、裏パックユニット２０３を本体枠１２に取り付けた状態では、窓部３９１を通じて遊技盤３０裏面の盤用外部端子板２３０が露出し、裏パックユニット２０３を装着したままで盤用外部端子板２３０の操作を行うことができるようになっている。前述のとおり、盤用外部端子板２３０は取り外し容易な状態で集合板ユニット２１５に取り付けられていることから、盤用外部端子板２３０の配線を接続したままで、窓部３９１を介して当該盤用外部端子板２３０を取り出すことも可能となる。裏パック３５１の右上部には本体枠１２の開放の状態を検出するための本体枠開放スイッチ３９２が設けられており、外枠１１に対して本体枠１２を閉じた状態では当該スイッチ３９２の金属接点が閉じて本体枠１２の閉鎖が検知され、外枠１１に対して本体枠１２を開いた状態では金属接点が開いて本体枠１２の開放が検知されるようになっている。
【０１９３】
裏パック３５１には、パチンコ機１０後方からみて右端部に上下一対の掛止ピン３８５が設けられており、掛止ピン３８５を前記軸受け部２３８に上方から挿通させることで、裏パックユニット２０３が本体枠１２に対して回動可能に片持ち支持される。裏パック３５１には、左端部に締結具として上下一対のナイラッチ３８６が設けられると共に、上端部に係止孔３８７が設けられており、ナイラッチ３８６を前記被締結孔２４０にはめ込むと共に、係止孔３８７に前記固定具２４２を挿入した上で当該固定具２４２を回動操作することで、裏パックユニット２０３が本体枠１２に固定される。また、前記固定具２４１，２４３によっても裏パックユニット２０３が本体枠１２に固定される。なお、軸受け部２３８及び掛止ピン３８５が前記支軸部Ｍ６に、被締結孔２４０及びナイラッチ３８６が前記締結部Ｍ７に、固定具２４２及び係止孔３８７が前記係止部Ｍ８に、それぞれ相当する。また、固定具２４３が前記係止部Ｍ９に相当する。
【０１９４】
次に、本パチンコ機１０の電気的構成について、図２７のブロック図に基づいて説明する。
【０１９５】
主制御装置２７１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。主制御装置２７１は、本パチンコ機１０における主要な制御（利益に絡む演算処理全般）を実施するためのメインコントローラであり、その動作主体たるＣＰＵ５０１は、入賞装置への遊技球の入賞の都度それを判定する入賞判定処理、所定の始動入賞をトリガとして大当たり等の抽選を行う抽選処理、大当たり当選時にソレノイド等の駆動部を駆動させて可変入賞装置３２（いわゆる大入賞アタッカ）を開放させる開放処理、可変入賞装置３２に入賞した入賞球を検知する大当たり時入賞検知処理、遊技球の払出指令を払出制御装置３１１に出力する払出指令処理等々を適宜実行する。
【０１９６】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのメモリやエリアの他に、バックアップエリア５０３ａが設けられている。
【０１９７】
バックアップエリア５０３ａは、停電などの発生により電源が遮断された場合において、電源遮断時（停電発生時を含む。以下同様）のスタックポインタや、各レジスタ、Ｉ／Ｏ等の値を記憶しておくためのエリアであり、電源投入時（停電解消による電源投入を含む。以下同様）には、バックアップエリア５０３ａの情報に基づいてパチンコ機１０の状態が電源遮断前の状態に復帰できるようになっている。バックアップエリア５０３ａへの書き込みはＮＭＩ割込み処理によって電源遮断時に実行され、バックアップエリア５０３ａに書き込まれた各値の復帰は電源投入時のメイン処理において実行される。なお、ＣＰＵ５０１のＮＭＩ端子（ノンマスカブル割込端子）には、停電等の発生による電源遮断時に、停電監視回路５４２からの停電信号ＳＧ１が入力されるように構成されており、停電の発生により停電時処理としてのＮＭＩ割込み処理が即座に実行される。
【０１９８】
主制御装置２７１のＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、表示制御装置２１４や、その他図示しないスイッチ群などが接続されている。
【０１９９】
払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０２００】
払出制御装置３１１のＲＡＭ５１３は、主制御装置２７１のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのメモリやエリアの他に、バックアップエリア５１３ａが設けられている。
【０２０１】
バックアップエリア５１３ａは、停電などの発生により電源が遮断された場合において、電源遮断時のスタックポインタや、各レジスタ、Ｉ／Ｏ等の値を記憶しておくためのエリアであり、電源投入時には、このバックアップエリア５１３ａの情報に基づいてパチンコ機１０の状態が電源遮断前の状態に復帰できるようになっている。バックアップエリア５１３ａへの書き込みはＮＭＩ割込み処理によって電源遮断時に実行され、バックアップエリア５１３ａに書き込まれた各値の復帰は電源投入時のメイン処理において実行される。なお、主制御装置２７１のＣＰＵ５０１と同様、ＣＰＵ５１１のＮＭＩ端子にも、停電等の発生による電源遮断時に停電監視回路５４２から停電信号ＳＧ１が入力されるように構成されており、停電の発生により、ＮＭＩ割込み処理が即座に実行されるようになっている。
【０２０２】
払出制御装置３１１のＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２７１、発射制御装置３１２、払出モータ３５８ａなどがそれぞれ接続されている。
【０２０３】
発射制御装置３１２は、発射モータ２２９による遊技球の発射を許可又は禁止するものであり、発射モータ２２９は、所定条件が整っている場合に駆動が許可される。具体的には、払出制御装置３１１から発射許可信号が出力されていること、遊技者が遊技球発射ハンドル１８に触れていることをセンサ信号により検出していること、発射を停止させるための発射停止スイッチが操作されていないことを条件に、発射モータ２２９が駆動され、遊技球発射ハンドル１８の操作量に応じた強さで遊技球が発射される。
【０２０４】
表示制御装置２１４は、第１図柄表示装置４１における第１図柄（特別図柄）の変動表示と、第２図柄表示装置４２における第２図柄（普通図柄）の変動表示とを制御するものである。表示制御装置２１４は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、２つの出力ポート５２８，５２９と、バスライン５３０，５３１とを備えている。入力ポート５２７の入力側には主制御装置２７１の出力側が接続され、入力ポート５２７の出力側には、ＣＰＵ５２１、ＲＯＭ５２２、ワークＲＡＭ５２３、画像コントローラ５２６が接続されると共にバスライン５３０を介して出力ポート５２８が接続されている。出力ポート５２８の出力側には第２図柄表示装置４２（表示部４５）や、音声ランプ制御装置２７２が接続されている。また、画像コントローラ５２６にはバスライン５３１を介して出力ポート５２９が接続されており、その出力ポート５２９の出力側には第１図柄表示装置４１が接続されている。
【０２０５】
表示制御装置２１４のＣＰＵ５２１は、主制御装置２７１から送信される図柄表示コマンドに基づいて第１図柄表示装置４１及び第２図柄表示装置４２の表示を制御する。ＲＯＭ５２２は、ＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０２０６】
ビデオＲＡＭ５２４は、第１図柄表示装置４１に表示される表示データを記憶するためのメモリであり、ビデオＲＡＭ５２４の内容を書き替えることにより、第１図柄表示装置４１の表示内容が変更される。キャラクタＲＯＭ５２５は、第１図柄表示装置４１に表示される図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第１図柄表示装置４１に表示させるものである。
【０２０７】
電源装置３１３は、パチンコ機１０の各部に電源を供給するための電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２７１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２７１や払出制御装置３１１等に対して供給する。なお、発射制御装置３１２に対しては払出制御装置３１１を介して動作電源（＋１２Ｖ電源、＋５Ｖ電源等）が供給される。
【０２０８】
停電監視回路５４２は、停電等の発生による電源遮断時に、主制御装置２７１のＣＰＵ５０１及び払出制御装置３１１のＣＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２７１及び払出制御装置３１１へ出力する。停電信号ＳＧ１の出力によって、主制御装置２７１及び払出制御装置３１１は、停電の発生を認識し、ＮＭＩ割込み処理を実行する。なお、電源部５４１は、直流安定２４ボルトの電圧が２２ボルト未満になった後においても、ＮＭＩ割込み処理の実行に充分な時間の間、制御系の駆動電圧である５ボルトの出力を正常値に維持するように構成されている。よって、主制御装置２７１及び払出制御装置３１１は、ＮＭＩ割込み処理を正常に実行し完了することができる。
【０２０９】
ＲＡＭ消去スイッチ回路５４３は、ＲＡＭ消去スイッチ３２３のスイッチ信号を取り込み、そのスイッチ３２３の状態に応じて主制御装置２７１及び払出制御装置３１１のバックアップデータをクリアするためのＲＡＭ消去信号ＳＧ２を出力する回路である。ＲＡＭ消去スイッチ３２３が押下された際、ＲＡＭ消去スイッチ回路５４３は、主制御装置２７１及び払出制御装置３１１に対してＲＡＭ消去信号ＳＧ２を出力する。これにより、ＲＡＭ消去スイッチ３２３が押された状態でパチンコ機１０の電源が投入されると、主制御装置２７１及び払出制御装置３１１においてそれぞれのバックアップエリア５０３ａ，５１３ａのデータがクリアされる。
【０２１０】
以上本実施の形態によれば、以下の優れた効果を奏する。
【０２１１】
第１制御基板ユニット２０１において取付台２５１の背後の空間領域にスペーサ部材２８５を配し、それにより当該空間領域を埋めるようにしたため（空間領域に制限を加えるようにしたため）、単に空間領域の開口部を遮蔽するような既存の構成等とは異なり、空間領域そのものを縮小又は無くすことができ、当該空間領域を用いての不正基板等の設置などが抑制できる。また更に、スペーサ部材２８５を封印処理により取付台２５１及び主制御装置２７１に結合する構成としたため、不正行為に対する抑止力を十分に発揮できる。以上によれば、制御装置等を効率良く設置できる構成を実現し、しかもかかる構成における十分な不正対策を講じることができる。
【０２１２】
上記構成において、取付台２５１の背後に装着されるスペーサ部材２８５を必要に応じて変更することにより、機種・型式の違い等により取付台２５１の背後空間の大きさや形状などが相違してもそれに容易に対処できる。
【０２１３】
主制御装置２７１と取付台２５１との結合（封印）に用いる結合部（被結合片２５５）の一つを流用してスペーサ部材２８５の結合（封印）を行うようにしたため、構成の簡素化が可能となる。また、主制御装置用の結合部（被結合片２５５）は既存の構成であるため、その点でも有利なものとなる。
【０２１４】
スペーサ部材２８５を中空ブロック状の立体形状をなすものとしたため、取付台２５１の背後の空間領域を埋める（制限する）のに好適な構成が実現できる。また、スペーサ部材２８５に複数のリブ２８６を設けたため、スペーサ中空部において一つ一つの塊として比較的大きなものが形成されないようになる。これにより、不正基板の設置等を抑止する上で好適なる構成が実現できる。リブ２８６によってスペーサ部材２８５の補強効果も得られる。
【０２１５】
スペーサ部材２８５を透明材料により成形したため、仮にニッパ等の道具によりリブ２８６の一部が切除されるなどの不正行為が行われたとしても、その発見が容易となっている。
【０２１６】
基板装着部２５２の背後空間に通じる開口部のうち、一つが可変表示ユニット３５で塞がれるため、基板装着部２５２の背後空間に通じる開口が脚部等により全て塞がれていなくても、前記背後空間への侵入やスペーサ部材２８５に対する不正工作等を防止することができる。
【０２１７】
取付台２５１には、２つの基板装着部２５２，２５３が段差状に形成されているため、高低２段に配置したい制御装置（主制御装置２７１、音声ランプ制御装置２７２）を共に同一の取付台２５１に装着することができる。この場合、複数の制御装置をパチンコ機１０に搭載する上で配置形態等を多様化させることができる。
【０２１８】
２つの基板装着部２５２，２５３が互いに交差する向きに設けられるため、主制御装置２７１及び音声ランプ制御装置２７２を縦横に交差させて配置することができる。従って、自由度の高い制御装置の配置が可能となる。
【０２１９】
パチンコ機１０の前後方向に重複した状態で主制御装置２７１及び音声ランプ制御装置２７２が取付台２５１に装着されるため、パチンコ機１０の裏面側において限られた大きさを効率良く使って複数の制御装置を配置することが可能となる。
【０２２０】
ところで、上述した第１制御基板ユニット２０１の構成に対し、不正抑止効果をより一層高めるために以下の構成を付加することも可能である。ここでは、取付台２５１とスペーサ部材２８５とをネジ等の連結手段により分離不能に連結するとともに、取付台２５１の基板装着部２５２上に装着した主制御装置２７１によって前記連結手段を覆い隠す構成を提案する。以下その詳細を図２８により説明する。なお本構成においては、取付台２５１とスペーサ部材２８５とが一体化された後に、取付台２５１への主制御装置２７１の装着が行われるようになっている。
【０２２１】
図２８において、取付台２５１の基板装着部２５２には左右２つの貫通孔２６０が設けられている。
【０２２２】
また、スペーサ部材２８５の表側には左右２つの孔部２９７が形成されている。この孔部２９７は、取付台２５１の基板装着部２５２に設けた貫通孔２６０に位置合わせされて設けられており、取付台２５１にスペーサ部材２８５を装着した状態において、基板装着部２５２の貫通孔２６０及びスペーサ部材２８５の孔部２９７にネジ等が取り付けられる。なお、ネジは連結手段に相当し、ここではドライバ等の汎用道具により締め付けたり緩めたりすることが可能な汎用ネジを用いている。ネジは基板装着部２５２の基板搭載面２５２ａ側から差し込まれる。詳細な図示は省略しているが、基板装着部２５２の貫通孔２６０には、ネジの頭部を収容する収容段差部が形成されており、その収容段差部にネジ等部が収容されることにより、ネジが基板搭載面２５２ａ側に突出しないようになっている。ただし主制御装置２７１の基板ボックス背面にネジとの干渉防止用の凹部が形成されている場合にはこの限りでない。
【０２２３】
取付台２５１に対して主制御装置２７１及びスペーサ部材２８５を組み付ける際には、取付台２５１の基板装着部２５２の背面側にスペーサ部材２８５が組み付けられ、それら両部材が一体化された後、基板装着部２５２の貫通孔２６０及びスペーサ部材２８５の孔部２９７に基板装着部２５２の基板搭載面２５２ａ側からネジが取り付けられてネジ締結が行われる。このネジ締結により、取付台２５１及びスペーサ部材２８５が連結される。なおこの時点では、ネジを取り外すことが可能である。したがって、スペーサ部材２８５と取付台２５１とを封印する封印手段（結合突起２９５、被結合片２５５）を有していない構成、又は、同封印手段を有していてもその封印処理前であれば、ネジの取り外しに伴い取付台２５１及びスペーサ部材２８５が再度分離できる。
【０２２４】
取付台２５１とスペーサ部材２８５とを一体化した状態において、取付台２５１の上端面（基板装着部２５２の上側端面）とスペーサ部材２８５の上端面とを跨ぐようにして封印シールＳＦを貼付するようにしても良い。封印シールＳＦは、一旦貼付された後に剥がされるとシールラベルから粘着剤が剥がれ、再度貼付することができないものであり、封印シールＳＦが剥がされた場合にはその形跡が残るようになっている。封印シールＳＦを貼付することにより、取付台２５１及びスペーサ部材２８５が一体化された後において、それらが分離されたかどうかが確認できるものとなっている。
【０２２５】
そして、取付台２５１及びスペーサ部材２８５の一体化完了後、取付台２５１の基板装着部２５２上に主制御装置２７１が装着される。このとき、主制御装置２７１が装着されることで、取付台２５１とスペーサ部材２８５とを連結したネジ（基板装着部２５２の貫通孔２６０及びスペーサ部材２８５の孔部２９７に取り付けたネジ）が主制御装置２７１（基板ボックス２７３）の背後に隠れることとなる。したがって、ネジの取り外しが不可能となり、結果として取付台２５１及びスペーサ部材２８５の分離が不可能となる。
【０２２６】
実際には、取付台２５１の基板装着部２５２上に主制御装置２７１が装着された後、更に主制御装置２７１と取付台２５１との間で封印処理が施される（結合片２７６及び被結合片２５５による封印）。したがって、取付台２５１から主制御装置２７１を取り外すこと自体が困難なものとなっており、取付台２５１及びスペーサ部材２８５の分離の困難性をより高めることができるようになっている。
【０２２７】
上記構成では要するに、取付台２５１とスペーサ部材２８５とをネジの締結により一体化（分離不能に連結）するとともに、取付台２５１の基板装着部２５２上に主制御装置２７１を装着することで、前記ネジを覆い隠す構成とした。この場合、基板装着部２５２上に主制御装置２７１が装着された状態では、前記ネジが露出しておらず該ネジによる取付台２５１及びスペーサ部材２８５の一体化を解除することができない。これは取付台２５１からスペーサ部材２８５を容易に取り外すことができないことを意味する。以上によれば、制御装置等を効率良く設置できる構成を実現し、しかもかかる構成における十分な不正対策を講じることができる。
【０２２８】
（第２の実施の形態）
上記実施の形態では、第１制御基板ユニット２０１の構成として、取付台２５１において主基板用の基板装着部２５２の背後空間を埋めるようにスペーサ部材２８５を設けたが、本実施の形態ではこの構成を変更する。すなわち、同じく取付台２５１において主基板用の基板装着部２５２及び音声ランプ基板用の基板装着部２５３の背後空間を埋めるようにスペーサ部材６０１を設ける。
【０２２９】
本実施の形態における第１制御基板ユニット２０１の構成を図２９〜図３２を用いて説明する。図２９，図３０は同ユニット２０１の斜視図、図３１，図３２は同ユニット２０１の分解斜視図である。ただし、スペーサ部材６０１以外の構成については概ね不変であるため、スペーサ部材６０１の構成について詳述する。
【０２３０】
スペーサ部材６０１は、全体として取付台２５１と同じ略Ｌ字状をなしており、相対向する表裏両側のうち表側（取付台２５１側）は開放された面になっているのに対し、裏側（取付台２５１とは反対側）は閉ざされた面となっている。スペーサ部材６０１の表側面の面積は、概ね取付台２５１の２つの基板装着部２５２，２５３の面積に合致している。また、スペーサ部材６０１の厚さは、主基板用の基板装着部２５２に相当する部位と音声ランプ基板用の基板装着部２５３に相当する部位とで相違しており、前者の方が厚さ寸法が大きいものとなっている。ただしいずれにしろ、取付台２５１の脚部の長さとほぼ同じ、又は取付台２５１の脚部の長さよりも若干短い長さとなっている。故に、スペーサ部材６０１は、取付台２５１の基板装着部２５２，２５３の背後空間とほぼ同じ占有体積を有し、該背後空間に丁度収まるようになっている。
【０２３１】
ただし、スペーサ部材６０１の相対向する表裏両側のうち、開放された面と閉ざされた面とを逆にすることも可能である。つまり、スペーサ部材６０１の相対向する表裏両側のうち、表側（取付台２５１側）を閉ざされた面とし、裏側（取付台２５１とは反対側）を開放された面とする。又は、スペーサ部材６０１の相対向する表裏両側をいずれも、閉ざされた面若しくは開放された面とすることも可能である。なお、両方を閉ざされた面とするには、平板状の板材が後付けされると良い。
【０２３２】
スペーサ部材６０１には格子状の多数のリブ６０２が形成されており、その多数のリブ６０２によって、空間状の一つ一つの塊として比較的大きなものが形成されないようになっている。つまり、空間が細分化されている。また、多数のリブ６０２を設けることにより、空間の細分化といった所望とする効果を得つつ、スペーサ部材６０１の重量軽減を図ることができるようになっている。
【０２３３】
また、スペーサ部材６０１には、取付台２５１に装着した際において主制御装置２７１側の係止具２７８との干渉を回避するために矩形状の切欠部６０３が２カ所に形成されるとともに、取付台２５１に設けた封印ネジ備蓄部２５８との干渉を回避するために矩形状の切欠部６０４が１カ所に形成されている。
【０２３４】
スペーサ部材６０１の表側（取付台２５１側）には、主制御装置２７１に対して当該スペーサ部材６０１を係止固定するための左右一対の係止片６０６が形成されている。また、スペーサ部材６０１の上端部には結合突起６０７が設けられている。結合突起６０７は、当該スペーサ部材６０１と取付台２５１との間で封印処理を施すための封印部材に相当する。
【０２３５】
すなわち、取付台２５１の背面側にスペーサ部材６０１を装着した状態では、スペーサ部材６０１の結合突起６０７と取付台２５１側の被結合片２５５の一つとが前後で重なるようにして合致する。そして、結合突起６０７及び被結合片２５５に封印ネジがねじ込まれることで、スペーサ部材６０１と取付台２５１との間で封印処理が施される。封印ネジとしては破断ネジや一方向ネジ（ワンウェイネジ）が用いられる。この場合、封印処理が施された後は、所定の破壊行為を行わなければその封印処理を解除することができない。故に、仮に不正に封印処理が解除された後は、その不正の痕跡が残るようになっている。
【０２３６】
その他、スペーサ部材６０１の裏側（取付台２５１の反対側）には、各種配線等を案内するための配線案内溝６１１が形成されている。配線案内溝６１１は、スペーサ部材６０１の裏面側から見て溝深さが上下方向で相違する溝形状をなしており、上端部に開口を有する。故に、スペーサ部材６０１の裏側に設けられる各種配線等（遊技盤３０から延びる各種配線等）は、配線案内溝６１１を介してスペーサ部材６０１の上方に導き出されるようになっている。スペーサ部材６０１において音声ランプ基板用の基板装着部２５３に相当する部位には、遊技盤３０側の部材との干渉を抑制するための切欠部６１２が形成されている。
【０２３７】
ここで、図２９及び図３０に示すように、取付台２５１の基板装着部２５２，２５３の背面側にスペーサ部材６０１が組み付けられる。このとき、スペーサ部材６０１は、係止片６０６によって主制御装置２７１に係止固定される。このスペーサ部材６０１の組付状態では、取付台２５１の各基板装着部２５２，２５３の背後空間がスペーサ部材６０１によって埋められることになる。故に、取付台２５１の各基板装着部２５２，２５３の背後側においては、不正基板等を設置する余地が無くされるようになっている。
【０２３８】
第１制御基板ユニット２０１をパチンコ機１０裏面に搭載した状態を想定しても、上記のとおり取付台２５１の各基板装着部２５２，２５３の背後空間がスペーサ部材６０１によって埋められているため、取付台２５１の背後の空間領域が不正目的で悪用されることが抑制できる。また、制御基板ユニット２０１は、絵柄表示ユニットとしての可変表示ユニット３５に隣接して配置されているため、基板装着部２５２の背後空間に通じる開口部のうち上側の開口部が可変表示ユニット３５によって塞がれており、スペーサ部材６０１に対する不正行為も困難なものとなっている。つまり、スペーサ部材６０１を不正に取り外したり、同スペーサ部材６０１の一部を切除したりする行為ができなくなっている。
【０２３９】
本実施の形態においても、上記第１の実施の形態と同様に、制御装置等を効率良く設置できる構成を実現し、しかもかかる構成における十分な不正対策を講じることができる。
【０２４０】
本第２の実施の形態においても、上記第１の実施の形態で付則説明したように、取付台２５１とスペーサ部材６０１とをネジ等の連結手段により分離不能に連結するとともに、取付台２５１の基板装着部２５２上に装着した主制御装置２７１によって前記連結手段を覆い隠す構成を採用しても良い。本構成を採用することにより、取付台２５１からスペーサ部材６０１を取り外すことの困難性を高めることができ、不正抑止効果の向上を図ることができる。
【０２４１】
（第３の実施の形態）
上記各実施の形態では、主制御装置２７１及び音声ランプ制御装置２７２を遊技盤３０に装着するための構造として、略Ｌ字状の取付台２５１を用い、この取付台２５１に主制御装置２７１及び音声ランプ制御装置２７２を装着することで第１制御基板ユニット２０１を構成したが、これを変更し、主制御装置及び音声ランプ制御装置を装着する取付台（台座部材）を各々個別に設けると、制御装置ごとに制御装置ユニットを構成する。以下その詳細について説明する。特にここでは、主制御装置を搭載する主制御装置ユニットについて詳述する。
【０２４２】
本実施の形態における主制御装置ユニット７００の構成を図３３〜図３８を用いて説明する。図３３は主制御装置ユニット７００の正面図、図３４は同ユニット７００を２方向（表側上方及び表側下方）から示す斜視図である。また、主制御装置ユニット７００を構成する各部材のうち、取付台７１１の構成を図３５に示すとともに、スペーサ部材７４１の構成を図３６に示す。図３７は、取付台７１１とスペーサ部材７４１とを一体化する際の一体化前後の状態を示す斜視図である。図３８は、遊技盤７７１の裏面に主制御装置ユニット７００を取り付けた状態の正面図である。
【０２４３】
主制御装置ユニット７００は、台座部材としての取付台７１１を有し、取付台７１１に主制御装置７０１が搭載されている。主制御装置７０１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、主基板が透明樹脂材料等よりなる被包手段としての基板ボックス７０２に収容されて構成されている。この主制御装置７０１は、上述した主制御装置２７１に相当するものであり、主制御装置２７１と同等の制御機能を有する。基板ボックス７０２は、略直方体形状のボックスベース（表ケース体）と該ボックスベースの開口部を覆うボックスカバー（裏ケース体）とを備えている。これらボックスベースとボックスカバーとは封印手段としての封印部７０４によって開封不能に連結され、これにより基板ボックス７０２が封印されている。封印部７０４は、基板ボックス７０２の長辺部に５つ設けられ、そのうち少なくとも一つが用いられて封印処理が行われる。
【０２４４】
封印部７０４はボックスベースとボックスカバーとを開封不能に結合する構成であれば任意の構成が適用できるが、封印部を構成する長孔に係止爪を挿入することでボックスベースとボックスカバーとが開封不能に結合されるようになっている。封印部７０４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部のうち、少なくとも一つの長孔に係止爪を挿入することにより封印処理が行われる。そして、収容した主基板の不具合発生の際や主基板の検査の際など基板ボックス７０２を開封する場合には、係止爪が挿入された封印部と他の封印部との連結部分を切断する。これにより、基板ボックス７０２のボックスベースとボックスカバーとが分離されて同基板ボックスが開放され、内部の主基板を取り出すことができる。その後、再度封印処理する場合は他の封印部材の長孔に係止爪を挿入する。基板ボックス７０２の開封を行った旨の履歴を当該基板ボックス７０２に残しておけば、基板ボックス７０２を見ることで不正な開封が行われた旨が容易に発見できる。
【０２４５】
また、基板ボックス７０２において、封印部７０４と反対側の長辺部には、その封印部７０４とは別に基板ボックス７０２を封印するための封印部７０５が左右２カ所に設けられている。この封印部７０５は、本パチンコ機１０が工場で製造された後、遊技ホール等まで搬送されるまでの不正行為を抑止するための搬送用封印部であり、パチンコ機１０の工場出荷時に同封印部７０５に対する封印処理が施される。そして、同パチンコ機１０のホール搬送後において主制御装置７０１の検査確認等の目的で封印部７０５の封印が解除され基板ボックス７０２が開放された場合には、再度使われることはなくそのまま放置される。遊技ホールでの設置後は、前述の封印部７０４で封印処理が行われることによって基板ボックス７０２の不正な開封が防止される。
【０２４６】
基板ボックス７０２の一方の短辺部には、その側方に突出するようにして複数（本実施の形態では４つ）の結合片７０６が設けられている。詳細は後述するが、この結合片７０６は、基板ボックス７０２と取付台７１１との間で封印処理を施すために用いられる。
【０２４７】
図示は省略するが、基板ボックス７０２の背面は平坦面となっており、その背面には、円柱状の突起が１カ所に設けられるとともに、締結部材としての回動操作式の係止具が１カ所に設けられている。その構成については、前述した主制御装置２７１の基板ボックス２７３に設けた構成（突起２７７、係止具２７８）に準ずるものであるため、ここではその説明を割愛する。
【０２４８】
次に、取付台７１１の構成を図３５に基づいて説明する。取付台７１１はポリカーボネート樹脂等の合成樹脂製であり、全体に無色透明となっている。ただし、取付台７１１は緑や青等に着色されて不透明又は半透明であっても良い。取付台７１１には平坦板状をなす基板装着部７１２が設けられている。基板装着部７１２は、主制御装置７０１を装着するための主制御装置装着部に相当し、主制御装置７０１の基板ボックス７０２の形状に合わせて横長の略矩形状に形成されている。基板装着部７１２では、取付台７１１の表側（パチンコ機１０への設置状態で言えばパチンコ機後方に向く側）が基板搭載面７１２ａとなっている。
【０２４９】
基板装着部７１２には、その上下各端部に基板搭載面７１２ａ側に起立した起立部７１３，７１４が形成されるとともに、左右の各端部に同じく基板搭載面７１２ａ側に起立した起立部７１５，７１６が形成されている。左右の各起立部７１５，７１６の先端部には、それぞれ内側を向くようにして爪部が形成されている。基板装着部７１２において起立部７１５，７１６の基端部には、細幅のスリット孔７１７，７１８が形成されている。
【０２５０】
また、基板装着部７１２には、複数（本実施の形態では１０個）の位置合わせ孔７１９が形成されている。位置合わせ孔７１９はそれぞれ切除可能な切除片を有する孔部となっており、都度使用される主制御装置７０１に応じて複数の位置合わせ孔７１９のうち１つの切除片が打ち抜かれ開放される。本構成によれば、基板装着部７１２に本来装着されるべき主制御装置７０１を装着しようとする場合には、同主制御装置７０１の基板ボックス背面に設けた突起の位置と、開放された位置合わせ孔７１９の位置とが一致し、主制御装置７０１が支障なく装着できる。これに対し、基板装着部７１２に間違った主制御装置７０１を装着しようとする場合には、同主制御装置７０１の突起の位置と、開放された位置合わせ孔７１９の位置とが不一致となり、主制御装置７０１の装着が不可となっている。これにより、基板装着部７１２に装着されるべき主制御装置７０１の組み付け間違いが防止されるようになっている（機種間違い、型式間違いを含む）。
【０２５１】
また、基板装着部７１２には横長形状の貫通孔７２０が形成されている。この貫通孔７２０は、主制御装置７０１の背面に設けられた係止具を挿通させるための孔部である。
【０２５２】
基板装着部７１２には、基板搭載面７１２ａとは逆側（取付台７１１の背面側）に延びる脚部７２１が設けられている。この脚部７２１は、左右の側辺部７２１ａ，７２１ｂとその側辺部７２１ａ，７２１ｂ間に設けられる下辺部７２１ｃとからなる。脚部７２１は、基板装着部７１２の背後部分への侵入を阻止するための遮蔽部ともなっている。つまり、本取付台７１１を遊技盤の背面側に取り付けた状態（特に遊技盤に対して取付台７１１を閉じた状態）では基板装着部７１２の背後に背後空間が形成されるが、脚部７２１によってその背後空間に対する不正道具等の侵入が阻止されるようになっている。また、基板装着部７１２の背後空間における不正基板等の取り付けも阻止できる。
【０２５３】
脚部７２１において、一方の側辺部７２１ａには、上下一対の軸受け部７２４が設けられており、この軸受け部７２４が本取付台７１１の装着相手側（遊技盤側）の支軸部によって軸支されることで、本取付台７１１（主制御装置ユニット７００）が遊技盤に対して回動可能に片持ち支持されるようになっている。また、同じく側辺部７２１ａには、基板装着部７１２側の端部に複数（本実施の形態では４つ）の被結合片７２５が形成されている。被結合片７２５は易破断部を有しており、その易破断部が破断されることで取付台７１１から切除されるようになっている。同側辺部７２１ａは、主制御装置ユニット７００を片持ち支持するための部位であるため、その補強ために側辺部７２１ａの内側面には複数の補強リブ７２６が設けられている。なお、符号７２７は、側辺部７２１ａの内側で電気配線等を束ねるための配線結束部であり、符号７２８は、電気配線等を本取付台７１１から下方に案内するための切欠部である。
【０２５４】
ここで、基板装着部７１２上に主制御装置７０１を装着した状態では、主制御装置７０１の結合片７０６と取付台７１１側の被結合片７２５とが前後で重なるようにして合致する。この場合、４組の結合片７０６及び被結合片７２５のうち、１つに封印ネジがねじ込まれることで、主制御装置７０１（基板ボックス７０２）と取付台７１１との間で封印処理が施される。図示は省略するが、封印ネジは、ドライバ等の締付け工具による締付け時に所定の締付け力以上の負荷がかかると頭部が破断される、いわゆる破断ネジであり、結合片７０６及び被結合片７２５の封印時にネジ頭部が破断されることで、その後はドライバ等によるネジの緩め作業が不可となる。この場合、封印を解除するには、被結合片７２５の易破断部を破断しなければならず、その破断により封印解除の履歴が残るようになっている。
【０２５５】
破断ネジに代えて、所定の締付け方向にはねじ回しができるが、その逆の緩め方向にはねじ回しができない、いわゆる一方向ネジ（ワンウェイネジとも称される）を用いることも可能である。なお、基板装着部７１２には、封印ネジのストックを備えておくための封印ネジ備蓄部７２９が設けられている。
【０２５６】
他方の側辺部７２１ｂには、締結具としてのナイラッチ７３２（図３４参照）を取り付けるためのナイラッチ取付部７３１が上下２カ所に設けられている。このナイラッチ取付部７３１に取り付けられるナイラッチによって、遊技盤に対する本取付台７１１（主制御装置ユニット７００）の締結がなされるようになっている。
【０２５７】
次に、スペーサ部材７４１の構成を図３６に基づいて説明する。スペーサ部材７４１は、全体として中空ブロック状の立体形状をなしており、相対向する表裏両側のうち表側（取付台７１１に組み付けた場合の取付台７１１側、以下同様）は開放された面になっているのに対し、裏側（取付台７１１に組み付けた場合の取付台７１１とは反対側、以下同様）は閉ざされた面となっている。スペーサ部材７４１は、無色透明の合成樹脂材料により成形されている。スペーサ部材７４１の投影面積は、概ね取付台７１１の基板装着部７１２の面積に合致している。また、スペーサ部材７４１の厚さは、取付台７１１の脚部７２１の長さとほぼ同じ、又は脚部７２１の長さよりも若干小さい長さ寸法となっている。故に、スペーサ部材７４１は、取付台７１１の基板装着部７１２の背後空間とほぼ同じ占有体積を有し、該背後空間にほぼ丁度収まるようになっている。
【０２５８】
ただし、スペーサ部材７４１の相対向する表裏両側のうち、開放された面と閉ざされた面とを逆にすることも可能である。つまり、スペーサ部材７４１の相対向する表裏両側のうち、表側（取付台７１１側）を閉ざされた面とし、裏側（取付台７１１とは反対側）を開放された面とする。又は、スペーサ部材７４１の相対向する表裏両側をいずれも、閉ざされた面若しくは開放された面とすることも可能である。なお、両方を閉ざされた面とするには、平板状の板材が後付けされると良い。
【０２５９】
スペーサ部材７４１には格子状の多数のリブ７４２が形成されており、その多数のリブ７４２によって、空間状の一つ一つの塊として比較的大きなものが形成されないようになっている。つまり、空間が細分化されている。また、多数のリブ７４２を設けることにより、空間の細分化といった所望とする効果を得つつ、スペーサ部材７４１の重量軽減を図ることができるようになっている。この場合、スペーサ部材７４１が透明材料により成形されているために、仮にリブ７４２の一部が切除されたとしても、その発見が容易となっている。
【０２６０】
スペーサ部材７４１においてその左右各端部には、同スペーサ部材７４１の表側（取付台７１１側）に延びる係止片７４５，７４６が形成されている。左右の係止片７４５，７４６の先端部には、それぞれ内側を向くようにして爪部が形成されている。また、スペーサ部材７４１の表側（取付台７１１側）には、取付台７１１に対して当該スペーサ部材７４１を係止固定するための係止片７４７が形成されている。
【０２６１】
図３６の（ｂ）に示すように、スペーサ部材７４１の裏側（取付台７１１とは反対側）には矩形状の凹部７５１が形成されている。この凹部７５１は、本ユニット７００の装着相手側（遊技盤側）との兼ね合いで設けられるものであり、同凹部７５１によって遊技盤背面の突起状の部位又は部材との干渉が回避できるようになっている。具体的には、遊技盤に設けられた可変入賞装置（いわゆる大入賞アタッカであり、ここではアタッカ駆動用のソレノイドや中継基板等も含む）との干渉を避けるべく設けられている。
【０２６２】
また、スペーサ部材７４１には、取付台７１１に装着した際において主制御装置７０１側の係止具との干渉を回避し、かつ当該係止具の回動操作を可能とするための切欠部７５２が形成されるとともに、取付台７１１に設けた封印ネジ備蓄部７２９との干渉を回避するために矩形状の切欠部７５３が形成されている。
【０２６３】
スペーサ部材７４１が取付台７１１の背後に組み付けられることで、これら両部材が一体化される。図３７の（ａ）には一体化前の取付台７１１及びスペーサ部材７４１を示し、同（ｂ）には一体化後の取付台７１１及びスペーサ部材７４１を示す。
【０２６４】
ここで、取付台７１１において基板装着部７１２の背後にスペーサ部材７４１が組み付けられると、スペーサ部材７４１の係止片７４５，７４６が取付台７１１側のスリット孔７１７，７１８に挿通される。すると、図３７の（ｂ）に示すように、係止片７４５，７４６の先端部がスリット孔７１７，７１８を通じて基板装着部７１２の基板搭載面７１２ａ側に突出し、その先端部に設けた爪部が基板搭載面７１２ａに係止される。またこのとき、スペーサ部材７４１の係止片７４７の先端部に設けた爪部が取付台７１１の起立部７１３に係止される。係止片７４５〜７４７の係止により、取付台７１１とスペーサ部材７４１とが分離不能に連結される。なおこの時点では、係止片７４５〜７４７における係止を指等で解除することが可能であり、その解除操作により取付台７１１及びスペーサ部材７４１が再度分離できる。
【０２６５】
図３７の（ｂ）のように取付台７１１及びスペーサ部材７４１が一体化された後、取付台７１１の起立部７１３とスペーサ部材７４１の係止片７４７とを跨ぐようにして封印シールＳＦが貼付される。この封印シールＳＦは、一旦貼付された後に剥がされるとシールラベルから粘着剤が剥がれ、再度貼付することができないものであり、封印シールＳＦが剥がされた場合にはその形跡が残るようになっている。したがって、取付台７１１及びスペーサ部材７４１が一体化された後において、それらが分離されたかどうかが確認できるものとなっている。
【０２６６】
そして、取付台７１１及びスペーサ部材７４１の一体化が完了した後、取付台７１１の基板装着部７１２上に主制御装置７０１が装着される。これが図３４に示す状態である。このとき、取付台７１１側の起立部７１５，７１６に形成した爪部によって主制御装置７０１が保持される。また、基板装着部７１２上に主制御装置７０１が装着されることで、取付台７１１とスペーサ部材７４１とを連結した部位のうち、係止片７４５，７４６による係止部位が主制御装置７０１（基板ボックス７０２）の背後に隠れることとなる。したがって、係止片７４５，７４６による係止状態を解除することが不可能となり、結果として取付台７１１及びスペーサ部材７４１の分離が不可能となる。
【０２６７】
また、主制御装置７０１を取付台７１１の基板装着部７１２に装着した状態において、基板装着部７１２の背面側では、主制御装置７１０の基板ボックス７０２に設けた係止具の回動操作が行われる。したがって、この係止具による係止作用によって、主制御装置７０１の取り外しが不可能となっている。更に、主制御装置７０１を基板装着部７１２上に装着した状態では、主制御装置７０１の結合片７０６と取付台７１１側の被結合片７２５とが前後で重なるようにして合致する。この場合、４組の結合片７０６及び被結合片７２５のうち、１つに封印ネジがねじ込まれることで、主制御装置７０１と取付台７１１との間で封印処理が施される。
【０２６８】
上記のとおり基板装着部７１２上に主制御装置７０１が装着された状態では、第１に、取付台７１１とスペーサ部材７４１とを連結した係止片７４５，７４６が主制御装置７０１の背後に隠されて連結解除が不可能となっていること、第２に、基板装着部７１２の背面側で係止具の回動操作が行われていること、第３に、主制御装置７０１と取付台７１１との間で封印処理が施されていることにより、取付台７１１及びスペーサ部材７４１を不正に分離させることの困難性が高められるようになっている。すなわちここでは、スペーサ部材７４１の不正取り外し抑制のために、上記した三重の対策が講じられている。
【０２６９】
主制御装置ユニット７００を遊技盤７７１に装着する際には、上記の如く主制御装置７０１、取付台７１１及びスペーサ部材７４１を一体化した後、取付台７１１の軸受け部７２４を遊技盤７７１側の支軸部に軸支させるとともに、その支軸部を中心に同ユニット７００を回動させ、取付台７１１の脚部７２１の先端部を遊技盤７７１の背面側に当接させる。そして、ナイラッチ７３２によって主制御装置ユニット７００を遊技盤７７１に固定する。その装着状態が図３８に示す状態である。
【０２７０】
詳細な説明は割愛するが、図３８において、遊技盤７７１には、液晶表示装置が取り付けられるとともに、その液晶表示装置を駆動するための表示制御装置が取り付けられている。この液晶表示装置及び表示制御装置は前後方向に重ねて配置され（液晶表示装置が前、表示制御装置が後）、さらにその後方に音声ランプ制御装置ユニット７８０が搭載されている。この音声ランプ制御装置ユニット７８０は、音声ランプ制御装置７８１と、台座部材としての取付台７８２とを具備する構成となっており、取付台７８２上に音声ランプ制御装置７８１が装着されている。主制御装置ユニット７００は、音声ランプ制御装置ユニット７８０に並べるようにしてその下方に取り付けられている。
【０２７１】
主制御装置ユニット７００を遊技盤７７１側に取り付けた状態において、取付台７１１の基板装着部７１２の背後空間がスペーサ部材７４１によって埋められているため、取付台７１１の背後の空間領域が不正目的で悪用されることが抑制できる。
【０２７２】
取付台７１１においてその背面側に延びる脚部７２１は、左右の側辺部７２１ａ，７２１ｂ及び下辺部７２１ｃからなり、基板装着部７１２の背後空間は上方に開口したものとなるが、主制御装置ユニット７００が音声ランプ制御装置ユニット７８０や表示系の装置等に隣接して配置され、基板装着部７１２の背後空間に通じる開口部のうち上側の開口部が音声ランプ制御装置ユニット７８０等によって塞がれる。したがって、スペーサ部材７４１に対する不正行為も困難なものとなっている。つまり、スペーサ部材７４１を不正に取り外したり、同スペーサ部材７４１の一部を切除したりする行為ができなくなっている。
【０２７３】
遊技盤７７１の背面側には可変入賞装置（大入賞アタッカ）などの役物や基板装置などが設けられるが、スペーサ部材７４１に形成した凹部７５１によって干渉が回避できるようになっている。またこのとき、中継基板等の基板装置や、各種配線などを効率良く配置することができる。
【０２７４】
以上第３の実施の形態によれば、上記各実施の形態と同様に、制御装置等を効率良く設置できる構成を実現し、しかもかかる構成における十分な不正対策を講じることができる。
【０２７５】
また、取付台７１１とスペーサ部材７４１との一体化に際し、係止片７４５，７４６の爪部の係止により、それらを分離不能に連結するとともに、取付台７１１の基板装着部７１２上に装着した主制御装置７０１によって係止片７４５，７４６を覆い隠す構成としたため、基板装着部７１２上に主制御装置７０１が装着された状態では、係止片７４５，７４６が露出しておらず該係止片７４５，７４６による連結を解除することができない。これは取付台７１１からスペーサ部材７４１を容易に取り外すことができないことを意味する。したがって、不正抑止効果をより一層高めることができる。
【０２７６】
（第４の実施の形態）
本実施の形態では、上記第３の実施の形態で説明した主制御装置ユニット７００の一部を変更しており、ここではその相違点を中心に説明する。特に本実施の形態では、取付台７１１とスペーサ部材７４１とを、初回の連結操作のみ可能とし以後の連結解除操作を不可とする連結手段（連結片８１１，８１２）により分離不能に連結したことを特徴としている。
【０２７７】
図３９はスペーサ部材７４１の構成を示す斜視図であり、図４０は、取付台７１１とスペーサ部材７４１との一体化状態を示す斜視図である。なお、図３９及び図４０に示す構成において、上記第３の実施の形態で説明したものと同一の構成又は機能を有するものについては同一の部材番号を付すとともにその説明を簡略化する。主制御装置７０１及び取付台７１１は上記第３の実施の形態と同様の構成を有し、その詳細については前出の説明を参照されたい（図３３〜図３５等）。
【０２７８】
図３９に示すように、スペーサ部材７４１は、全体として中空ブロック状の立体形状をなすこと、無色透明の合成樹脂材料により成形されていること、格子状の多数のリブ７４２を有することなどが上記第３の実施の形態と同様の構成となっている。
【０２７９】
構成上の相違点としては、スペーサ部材７４１において、上記第３の実施の形態で説明した係止片７４５〜７４７（図３６参照）が排除され、それに代えて、左右の各端部に係止受け部８０１，８０２が設けられている。この係止受け部８０１，８０２は略コ字状をなすよう成形されており、取付台７１１に対向する位置が開口８０１ａ，８０２ａとなっている。スペーサ部材７４１が取付台７１１の背後に取り付けられた状態では、スペーサ部材７４１の係止受け部８０１，８０２が、取付台７１１の基板装着部７１２に形成されたスリット孔７１７，７１８に対応する位置に配される。実際には、スリット孔７１７，７１８のすぐ背後に係止受け部８０１，８０２が配されることとなる。
【０２８０】
取付台７１１とスペーサ部材７４１との一体化状態を想定すると、係止受け部８０１，８０２では、その略コ字状をなす３面と、スペーサ部材７４１の本体側面と、取付台７１１の脚部７２１（側辺部７２１ａ，７２１ｂ）と、取付台７１１の基板装着部７１２とで囲まれる空間が形成される。この空間は、取付台７１１側のスリット孔７１７，７１８でのみ開放された閉塞空間となる。
【０２８１】
図４０において、（ａ）には取付台７１１とスペーサ部材７４１とを一体化した状態を示し、（ｂ）にはその一体化物に対してさらに連結片８１１，８１２を取り付けた状態を示している。図４０の（ａ）に示す状態では、取付台７１１側のスリット孔７１７，７１８が開放されたままとなっている。ただしその背後には、前述のとおり係止受け部８０１，８０２等により区画された閉塞空間が形成されている。
【０２８２】
そして、取付台７１１側のスリット孔７１７，７１８に連結片８１１，８１２がそれぞれ差し入れられる。連結片８１１，８１２は、無色透明の合成樹脂材料により成形されている。連結片８１１，８１２は、平板部８１１ａ，８１２ａと、その平板部８１１ａ，８１２ａから直立して設けられる一対の係止部８１１ｂ，８１２ｂからなり、係止部８１１ｂ，８１２ｂの先端にはそれぞれ外側を向くようにして爪部が形成されている。平板部８１１ａ，８１２ａは、スリット孔７１７，７１８と同等、又はスリット孔７１７，７１８よりも大きいものとなっている。各々一対の係止部８１１ｂ，８１２ｂの間隔は、スペーサ部材７４１に設けた係止受け部８０１，８０２の開口８０１ａ，８０２ａの間隔（上下方向の開口長さ）にほぼ一致している。
【０２８３】
上記構成において、取付台７１１側のスリット孔７１７，７１８に連結片８１１，８１２の係止部８１１ｂ，８１２ｂが差し入れられると、基板装着部７１２の背面側において連結片８１１，８１２の先端爪部（係止部８１１ｂ，８１２ｂの爪部）がスペーサ部材７４１側の係止受け部８０１，８０２に係止される。このとき、連結片８１１，８１２の先端爪部の係止は基板装着部７１２の背面側でなされ、取付台７１１の表側からはその係止状態を解除することが不可能となっている。また、取付台７１１の裏側においても、係止受け部８０１，８０２が一側にのみ開口した形状となっていることから、やはり連結片８１１，８１２の係止状態を解除することが不可能となっている。
【０２８４】
より詳細に説明すれば、スペーサ部材７４１と取付台７１１とを一体化した状態では、係止受け部８０１，８０２において、取付台７１１側のスリット孔７１７，７１８でのみ開放された閉塞空間（略コ字状の３面と、スペーサ部材の本体側面と、取付台７１１の脚部７２１と、取付台７１１の基板装着部７１２とで囲まれた空間）が形成されている。そして、スリット孔７１７，７１８に連結片８１１，８１２が差し入れられると、連結片８１１，８１２の先端爪部が前記閉塞空間に収容され、かつ該閉塞空間の唯一の開口部位であるスリット孔７１７，７１８が連結片８１１，８１２の平板部８１１ａ，８１２ａで閉鎖される。したがって、閉塞空間に対する指や道具等の侵入が不可又は極めて困難となり、連結片８１１，８１２の係止状態を解除することが不可能となる。以上により、連結片８１１，８１２の差込が一旦完了すると、それ以降連結片８１１，８１２の取り外しは不可能となり、結果として取付台７１１及びスペーサ部材７４１の分離が不可能となっている。
【０２８５】
そして、取付台７１１及びスペーサ部材７４１の一体化が完了した後、取付台７１１の基板装着部７１２上に主制御装置７０１が装着される（図３４に示す状態）。このとき、基板装着部７１２上に主制御装置７０１が装着されることで、前記連結片８１１，８１２が主制御装置７０１（基板ボックス７０２）の背後に隠れることとなる。したがって、連結片８１１，８１２を破壊しようとする強引な不正行為についても、その実施を困難なものとすることができる。
【０２８６】
主制御装置７０１の装着に際し、主制御装置７１０の基板ボックス７０２に設けられた係止具が回動操作されること、４組の結合片７０６及び被結合片７２５のうちいずれかで封印処理が施されることは前記のとおりである。
【０２８７】
上記のとおり基板装着部７１２上に主制御装置７０１が装着された状態では、第１に、取付台７１１とスペーサ部材７４１とを連結した連結片８１１，８１２の係止解除自体が困難であること、第２に、連結片８１１，８１２が主制御装置７０１の背後に隠れていること、第３に、基板装着部７１２の背面側で係止具の回動操作が行われていること、第４に、主制御装置７０１と取付台７１１との間で封印処理が施されていることにより、取付台７１１及びスペーサ部材７４１を不正に分離させることの困難性が高められるようになっている。すなわちここでは、スペーサ部材７４１の不正取り外し抑制のために、上記した四重の対策が講じられている。
【０２８８】
以上第４の実施の形態によれば、上記各実施の形態と同様に、制御装置等を効率良く設置できる構成を実現し、しかもかかる構成における十分な不正対策を講じることができる。
【０２８９】
また、取付台７１１とスペーサ部材７４１との一体化に際し、それらを、初回の連結操作のみ可能とし以後の連結解除操作を不可とする連結手段（連結片８１１，８１２）により分離不能に連結するようにしたため、取付台７１１からスペーサ部材７４１を取り外すことの困難性を高めることができる。したがって、不正抑止効果をより一層高めることができる。
【０２９０】
またこのとき、取付台７１１の基板装着部７１２上に主制御装置７０１を装着した後は、該主制御装置７０１によって連結片８１１，８１２が覆い隠されるため、更に不正抑止効果を高めることができる。
【０２９１】
なお、上述した実施の形態の記載内容に限定されず、例えば次のように実施してもよい。
【０２９２】
（ａ）第１制御基板ユニット２０１において取付台２５１の背後空間に設けられるスペーサ部材を、図４１のように構成しても良い。図４１には、スペーサ部材２８５についての変形例を示す。図４１の（ａ）では、スペーサ部材２８５に多数のリブ２８６を格子状に設けることは同じであるが、リブ２８６の設置域を一部にのみ限定している。つまり、スペーサ部材２８５において、空間を細分化する空間細分化領域と、空間を細分化しない空間非細分化領域とを設けている。ここでは、図の上半分の領域に限定してリブ２８６を設けている。その他、下半分、右半分、左半分など、特定の領域に限定してリブ２８６を設ける構成であっても良い。
【０２９３】
また、図４１の（ｂ）では、スペーサ部材２８５において、格子状の多数のリブ２８６に代えて、柱部材として円柱状をなす複数のボス６２１を点在させて設けている。柱部材として、多角形状、断面十字状、断面Ｔ字状、クランク状、断面ドーナツ状などをなす柱部材を設けても良い。かかる構成においても、取付台２５１の背後空間を遮る部材を適宜配することができる。これにより、不正基板の設置等を抑止する上で好適なる構成が実現できる。例えば、円柱状をなすボス６２１を点在させて設ける場合、その外径寸法は大きい方が良い。外径寸法が大きくなれば、不正道具等を直線的に差し入れることが困難になるためである（特に、ボス６２１が千鳥パターンで配置される場合に有効）。外径寸法を大きくするには、断面ドーナツ状の中空形状とするのが望ましい。
【０２９４】
その他、図４１の（ｃ）に示すように、スペーサ部材２８５において、リブ６２３とボス６２４とを混在させて設けることも可能である。以上の各構成はスペーサ部材６０１，７４１についても同様に適用できる。
【０２９５】
（ｂ）上記第１の実施の形態では、スペーサ部材２８５において格子状の多数のリブ２８６を設け、それらリブ２８６により区画された各空間（細分化された空間）が前後方向に延びるように構成したが、これを変更する。同空間（細分化された空間）は左右方向又は上下方向に延びるものであっても良い。この場合、例えば、前後２枚の板材の間に、上下方向又は左右方向に延びる複数の仕切り板部を設ける。これにより、スペーサ部材において、左右方向又は上下方向に延びる細分空間が形成できる。本構成では、スペーサ部材２８５の前後両面が閉じた面となることから、仮に台座部材（取付台２５１）の基板装着部に孔や開口があったとしても、その孔や開口を通じて不正行為が行われることが排除できる。スペーサ部材６０１，７４１についても同様である。
【０２９６】
（ｃ）上記実施の形態では、スペーサ部材２８５の厚さを、取付台２５１の脚部の長さとほぼ同じ、又は取付台２５１の脚部の長さよりも若干小さい長さ寸法としたが、この構成を変更する。例えば、スペーサ部材２８５の厚さを、取付台２５１の脚部の長さよりも大きい長さ寸法としても良い。この場合、取付台２５１の脚部からはみ出るようにしてスペーサ部材２８５が存在することとなる。故に、スペーサ部材２８５の存在の有無や、正常状態であることの確認を容易に行うことができる。スペーサ部材６０１，７４１についても同様である。
【０２９７】
（ｄ）上記実施の形態では、スペーサ部材２８５を無色透明の合成樹脂材料により形成したが、これを変更し有色材料により形成しても良い。ただし、有色材料にすると内部の視認性が低下するため、その対策が必要となる場合がある。上記のようにスペーサ部材２８５の表側（取付台２５１側）を閉ざされた面とし、裏側（取付台２５１とは反対側）を開放された面とする場合にはさして問題にならないが、その逆にスペーサ部材２８５の表側（取付台２５１側）を開放された面とし、裏側（取付台２５１とは反対側）を閉ざされた面とする場合には、視認性の低下防止のために、裏側（取付台２５１とは反対側）に透明板を貼り付ける構成として内部視認可能にすると良い（両方を閉ざされた面とする場合も同様）。スペーサ部材６０１，７４１についても同様である。
【０２９８】
（ｅ）複数のスペーサ形成片を用いてスペーサ部材を形成するようにしても良い。その具体的構成を図４２により説明する。図４２において、（ａ），（ｂ）はスペーサ形成片８３１の構成を示す斜視図であり、（ｃ），（ｄ）は２つのスペーサ形成片８３１を組み合わせてスペーサ部材を形成した状態を示す断面図である。
【０２９９】
図４２の（ａ）に示す構成では、スペーサ形成片８３１は、ベース板部８３２と、そのベース板部８３２上に立設された複数の起立リブ８３３とから構成されている。また、図４２の（ｂ）に示す構成では、スペーサ形成片８３１は、ベース板部８３２と、そのベース板部８３２上に立設された複数の起立ピン８３４とから構成されている。起立リブ８３３と起立ピン８３４とが突状部に相当する。そして、図４２の（ｃ）に示すように、起立リブ８３３が突き出た方を互いに向き合わせて２つのスペーサ形成片８３１を組み合わせてスペーサ部材を形成する。又は、図４２の（ｄ）に示すように、起立リブ８３３が突き出た方を同方向として２つのスペーサ形成片８３１を組み合わせてスペーサ部材を形成する。ただし（ｄ）の場合には、少なくとも一方のベース板部８３２に、起立リブ８３３を貫通させるための貫通孔８３５を形成する必要がある。図４２の（ｃ），（ｄ）では、起立リブ８３３が互いに違いに並ぶようにして２つのスペーサ形成片８３１が組み付けられている。
【０３００】
なお、２つのスペーサ形成片８３１を組み合わせる場合、上記のように共に起立リブ８３３を有する組み合わせとする他、共に起立ピン８３４を有する組み合わせとしたり、それぞれ起立リブ８３３と起立ピン８３４とを有する組み合わせとしたりすることが可能である。また、スペーサ形成片８３１を３つ以上組み合わせることも可能である。突状部の形状としては、格子状、短辺フィン状、断面Ｌ字状、断面Ｔ字状、クランク状、断面ドーナツ状などであっても良い。
【０３０１】
上記のように、複数のスペーサ形成片８３１を組み合わせることにより、スペーサ部材の中空部においてより細かな細分化が容易に実現できる。つまり、リブ等の突状部を作製する場合、製造上の都合によりその設置間隔が制限されるが、複数のスペーサ形成片８３１の組み合わせによれば設置間隔の狭小化が可能となる。例えば、スペーサ部材を樹脂成形する場合には、金型の大きさ等の制約から突状部の設置間隔が制限されるが、上記構成によればこの不都合が解消される。
【０３０２】
（ｆ）台座部材（取付台２５１等）の脚部に側方から櫛歯状の空間細分化部材を差し入れ、それにより台座部材の背後空間を細分化する構成としても良い。その具体的構成を図４３に示す。図４３において、台座部材としての取付台８４１は四辺形をなす基板装着部８４２と、その二辺に設けられる板状の脚部８４３とを有し、各脚部８４３には所定間隔で複数の貫通孔８４４が設けられている。一方、空間細分化部材８４６は、櫛歯部８４７を有している。そして、取付台８４１の貫通孔８４４に貫通させるようにして、空間細分化部材８４６の櫛歯部８４７を差し入れる。これにより、取付台８４１の背後空間が細分化される。図示は省略するが、本構成において、取付台８４１と空間細分化部材８４６とには、結合処理によりそれら両者を分離不能とするとともに結合後の結合解除により痕跡が残るようにした封印部材が設けられている。なお、取付台８４１に対して空間細分化部材８４６を複数装着するようにしても良い。
【０３０３】
（ｇ）上記各実施の形態では、スペーサ部材（スペーサ部材２８５等）を台座部材（取付台２５１等）に装着する際、スペーサ部材を台座部材の基板装着部に取り付ける構成としたが、これを変更し、スペーサ部材を台座部材の脚部に取り付ける構成としても良い。例えば、第１の実施の形態の構成において、取付台２５１の脚部（下側脚部２６１）に、突起部や孔部などからなるスペーサ部材用保持部を設け、その保持部によってスペーサ部材２８５を保持する構成とする。他の実施の形態における台座部材（取付台７１１）についても同様である。
【０３０４】
（ｈ）上記実施の形態では、スペーサ部材（スペーサ部材２８５等）を台座部材（取付台２５１等）に装着する構成としたが、これを変更し、スペーサ部材（スペーサ部材２８５等）を遊技盤側（遊技機本体の背面側）に装着する構成としても良い。例えば、スペーサ部材２８５を遊技盤３０側に装着する。本構成においても、前記同様、取付台２５１の背後空間を埋めることができ、不正行為に対する抑止力を発揮することができる。
【０３０５】
ここで、スペーサ部材２８５の一部を遊技盤３０に回動可能に支持する構成を設け、必要に応じてスペーサ部材２８５を回動させることができるようにすると良い。更にこの場合、スペーサ部材２８５と遊技盤３０とに対して結合部材による結合（封印）を施すと良い。特にこの場合、遊技盤３０とスペーサ部材２８５とに結合部材による結合処理が施された状態でスペーサ部材２８５の回動可能な状態が維持されているのが望ましい。そのための具体的な構成として、スペーサ部材２８５の軸支部に軸部材としての圧入ピン（カシメピン）等を差し込んで両部材の結合を行い、強引な破壊等を伴わなければ結合解除ができないようにすると良い。
【０３０６】
上記のようにスペーサ部材２８５が回動可能に軸支されていれば、遊技盤３０の背面に取り付けられた各種役物や基板装置などがスペーサ部材２８５の裏側に隠れていても、これらをスペーサ部材２８５の回動動作によって現出させることができる。したがって、各種役物や基板装置などのメンテナンス作業等を容易なものとすることができる。また、圧入ピン（カシメピン）等による結合によって、スペーサ部材２８５の不正な取り外し行為が抑止できる。
【０３０７】
（ｉ）上記第１の実施の形態では、取付台２５１とスペーサ部材２８５とを連結するための連結手段として、締付及び取り外しが共に可能なネジ（汎用ネジ）を用いたが、これに代えて、破断ネジやワンウェイネジといった封印ネジを用いても良い。封印ネジは、「初回の連結操作のみ可能とし以後の連結解除操作を不可とする連結手段」に相当する。また、同連結手段として、封印ネジに代えて圧入ピンを用いても良い。この場合、圧入ピンを圧入する孔部の差込口とは逆側を閉じておき、圧入ピンを孔部内に完全に没入するまで押し入れる。これにより、圧入ピンの圧入後は、同圧入ピンを抜き取ること（すなわち連結解除すること）が不可能となる。圧入ピンには返し部が設けられていると良く、これにより圧入ピンの抜き取りがより一層困難なものとなる。
【０３０８】
（ｊ）上記第３，第４の実施の形態では、連結手段（特に、初回の連結操作のみ可能とし以後の連結解除操作を不可とする連結手段）として、連結片８１１，８１２を用いたが、これを変更しても良い。例えば、破断ネジやワンウェイネジといった封印ネジ等を用いる。
【０３０９】
（ｋ）上記第３，第４の実施の形態では、主制御装置ユニット７００において取付台７１１にスペーサ部材７４１を一体化した構成を説明したが、音声ランプ制御装置ユニット７８０についても同等に取付台にスペーサ部材を一体化した構成が適用できる。
【０３１０】
（ｌ）第１制御基板ユニット２０１において取付台２５１の背後空間に設けられるスペーサ部材２８５を、複数のピース（複数のスペーサブロック）の集合体により構成することも可能である。具体的には、上下方向、左右方向、又は前後方向に並べて各ピース（スペーサブロック）を配置してスペーサ部材を構成すると良い。この場合、個々のピース（スペーサブロック）ごとに、結合処理により分離不能となりかつ結合後の結合解除により痕跡が残るようにした結合部（封印部）を設けるのが望ましい。個々のスペーサブロックに設けられる結合部は、スペーサブロック同士で結合処理が施されるものでも良いし、その他スペーサブロックと台座部材（取付台２５１等）、スペーサブロックと遊技機本体（遊技盤３０等）、スペーサブロックと制御装置（主制御装置２７１等）のいずれの間で結合処理が施されるものでも良い。又は、パチンコ機後方にカバー体が設けられる場合には、スペーサブロックとカバー部材の間で結合処理が施されるものでも良い。結合部に設けられる結合部材としては、封印シールや封印ネジなどが用いられる。
【０３１１】
スペーサ部材が、複数のスペーサブロックの集合体として構成されることにより、スペーサブロックの組み合わせを適宜変更することで、スペーサ部材としての立体形状を様々に変化させることができる。この場合、都度の空間領域に対応させてスペーサ部材を容易に形作ることができ、例えば機種・型式等の変更時にも好適に対処できる。また、個々のスペーサブロックごとに結合部が設けられるため、複数のスペーサブロックのいずれかが不正に取り除かれる等の不正を抑止できる。
【０３１２】
また、取付台２５１に対して引っ掛け部により係止結合される複数のスペーサ部材を用い、それらスペーサ部材を取付台２５１の裏面側で封印手段等により結合する構成としても良い。封印手段としては、機械的な結合を伴う構成や封印シール等が適用できる。他の実施の形態の台座部材（取付台７１１）についても同様である。
【０３１３】
（ｍ）上記各実施の形態において、台座部材（取付台２５１等）とスペーサ部材（スペーサ部材２８５等）とを接合手段により接合するようにしても良い。具体的には、台座部材（取付台２５１等）とスペーサ部材（スペーサ部材２８５等）との互いの当接面に接着剤を付けて両部材を接合する。なお、台座部材とスペーサ部材とを接合した状態で、更にそれら両部材に封印シール等による結合処理（封印処理）を施すようにしても良い。
【０３１４】
又は、台座部材（取付台２５１等）とスペーサ部材（スペーサ部材２８５等）とを分離不能に結合する部位を接合手段により接合するようにしても良い。例えば、第３の実施の形態の構成にあっては、取付台７１１とスペーサ部材７４１とを一体化した状態で、係止片７４５，７４６による係止部位に接着剤付けて両部材を接合する。更に、第４の実施の形態の構成にあっては、取付台７１１とスペーサ部材７４１とを一体化した状態で、連結片８１１，８１２による結合部位に接着剤付けて両部材を接合する。接着剤等の接合手段による接合を行う際、その接合部は主制御装置等による隠れた部位であると良い。
【０３１５】
接合手段として、超音波溶着を用いても良い。この場合、超音波振動用のホーンを取付台又はスペーサ部材に当接させ、その状態でホーンを超音波振動させることにより取付台とスペーサ部材とを溶融させてそれら両者を接合させると良い。
【０３１６】
（ｎ）上記第１，第２の実施の形態では、第１制御基板ユニット２０１の構成として、遊技盤３０の背面側に取付台２５１を装着し、その取付台２５１の基板装着部２５２，２５３に主制御装置２７１や音声ランプ制御装置２７２を装着したが、この構成を変更する。例えば、遊技盤３０の背面側に台座部材として複数の脚部材を立設する。そして、その脚部材によって、遊技盤３０の背面側から離間した状態（浮いた状態）で主制御装置２７１や音声ランプ制御装置２７２を装着する。かかる構成において、遊技盤３０の背面部と主制御装置２７１との間に形成される空間領域（主制御装置２７１の背後領域）にスペーサ部材を配し、当該空間領域を埋めるようにする。
【０３１７】
また、台座部材として、主制御装置等を搭載する枠体と、その枠体を支持する脚部とを有する構成であっても良い。この場合、主制御装置等を搭載する部位は、取付台２５１等のように平板部ではなく中央に大きな開口を有するものとなる。
【０３１８】
（ｏ）主制御装置や音声ランプ制御装置を台座部材上に装着するとともに、更にそれらをカバー部材（カバー体）により覆う構成が考えられ、かかる構成のパチンコ機では、カバー部材により形成される空間領域にスペーサ部材を設けるとともに、そのスペーサ部材とカバー部材（又は遊技機本体）とに、結合処理によりそれら両者を分離不能とするとともに結合後の結合解除により痕跡が残るようにした結合部（封印手段）を設けると良い。その具体的構成を図４４により説明する。なおこれは、上記第１の実施の形態において、取付台２５１上に装着された音声ランプ制御装置２７２と、その音声ランプ制御装置２７２を覆う保護カバー部３５４との構成に該当する。
【０３１９】
図４４において、遊技盤８５１の背面側には、台座部材としての取付台８５３，８５４が取り付けられるとともに、その取付台８５３，８５４上に主制御装置８５５と音声ランプ制御装置８５６がそれぞれ装着されている。なおこの場合、主制御装置８５５と音声ランプ制御装置８５６の構成は、前述した主制御装置２７１、音声ランプ制御装置２７２に準ずる。また、取付台８５３，８５４の背面側（遊技盤側）にはそれぞれスペーサ部材８５７，８５８が取り付けられている。なお、スペーサ部材８５７，８５８の構成は、前述したスペーサ部材２８５等に準ずる。更に、遊技盤８５１の背面側には、少なくとも音声ランプ制御装置８５６を取付台８５４ごと覆うようにしてカバー体８５９が取り付けられている。カバー体８５９は遊技機本体側に回動可能に支持される回動機構などを有し、必要に応じて開閉できる構成となっている。パチンコ機においては、遊技機本体の背面側上部に遊技球タンクが設けられており、該タンクからこぼれ落ちる遊技球が制御装置類に当たらないよう、カバー体８５９は少なくとも上面部が閉じた構成となっている。この場合、カバー体８５９により形成された空間領域には余剰空間が存在しており、その余剰空間が悪用されて不正部品等が設置されることなどが懸念される。
【０３２０】
そこで本例では、カバー体８５９により形成される空間領域にスペーサ部材８６０を設置し、そのスペーサ部材８６０により前記空間領域（余剰空間）を制限するようにした。すなわちスペーサ部材８６０により前記空間領域（余剰空間）を埋めるようにした。スペーサ部材８６０は無色透明の合成樹脂材料により成形されている。またその構成は、前述したスペーサ部材２８５等に準ずるものである。加えて、スペーサ部材８６０と遊技盤８５１（又はカバー体８５９でも可）とには、結合処理によりそれら両者を分離不能とするとともに結合後の結合解除により痕跡が残るようにした封印部材８６１が設けられている。封印部材８６１は、機械的な結合を伴う構成や封印シールなどが適用できる。
【０３２１】
上記構成によれば、取付台８５３，８５４の背後の空間領域だけでなく、カバー体８５９により形成される空間領域（余剰空間）をも縮小又は無くすことができ、当該空間領域を用いての不正基板等の設置などが抑制できる。また更に、スペーサ部材８６０と遊技盤８５１とを封印部材８６１により封印結合したため、不正行為に対する抑止力を十分に発揮できる。
【０３２２】
なお、図４３の構成では、主制御装置８５５と音声ランプ制御装置８５６との間にも空間領域（余剰空間）が存在するため、その空間領域を制限する（埋める）ために別のスペーサ部材を設置しても良い。加えて、取付台８５３，８５４を挟んでその上下にそれぞれスペーサ部材を設けるとともに、それら各スペーサ部材を結合手段（封印手段）により互いに結合する構成とすることも可能である。
【０３２３】
（ｐ）上記各実施の形態では、スペーサ部材を合成樹脂製としたが、これ以外に、スペーサ部材をアルミニウム等の軽金属により作製したり、セラミックス等の陶磁器により作製したりしても良い。ただし、合成樹脂製した方が、成型の容易さ、軽量化、低コスト化の観点で言って有利であると言える。
【０３２４】
（ｑ）スペーサ部材は、中空ブロック状とする以外に、中空でない塊状（ソリッド状）であっても良い。
【０３２５】
（ｒ）第１制御基板ユニット２０１において、取付台２５１とスペーサ部材２８５との間で結合処理を施すための結合部材として封印シール等を用いることも可能である。
【０３２６】
（ｓ）上記第１，第２の実施の形態では、第１制御基板ユニット２０１の取付台２５１において、遊技盤３０の裏面に対して平行な２つの基板装着部２５２，２５３を略Ｌ字状に且つ段差を付けて設けたが、この構成を変更する。例えば、前記基板装着部２５２，２５３のうち少なくとも一方を、遊技盤３０の裏面に対して非平行に設ける。また、前記基板装着部２５２，２５３を略Ｔ字状に設ける。この場合、例えば音声ランプ制御装置２７２用の基板装着部２５３の途中位置に、主制御装置２７１用の基板装着部２５２を連結する。その他、各基板装着部２５２，２５３を略十文字状に設けることも可能である。
【０３２７】
また、同基板装着部２５２，２５３の長手方向を同方向とし、それらを横又は縦に並べて配置する。また、同基板装着部２５２，２５３の段差を無くし、ほぼ同じ高さとする。ただしこの場合、主制御装置２７１用の基板装着部２５２の背後空間を確保することを考えると、当該基板装着部２５２と同様、音声ランプ制御装置２７２用の基板装着部２５３も遊技盤３０の裏面から離間させるようにして配置されるとよい。さらに、３つ以上の基板装着部を設ける構成とする。例えば、３つの基板装着部を設ける場合、３辺に折れ曲がったように各基板装着部を設けることも可能である。
【０３２８】
（ｔ）主制御装置２７１と共に取付台２５１に搭載される制御装置を、音声ランプ制御装置２７２から別の制御装置に変更してもよい。又は、音声ランプ制御装置２７２に更に加えて別の制御装置を主制御装置２７１と共に取付台２５１に搭載してもよい。別の制御装置としては、図柄の表示制御を実施するための表示制御装置などが考えられる。
【０３２９】
（ｕ）脚部を取付台２５１とは別体で設ける構成としてもよい。例えば、遊技盤３０の裏面に取り付けた集合板ユニット２１５に、板部を後方に起立させて設け、この板部を遮蔽部とする。
【０３３０】
（ｖ）上記第１，第２の実施の形態では、第１制御基板ユニット２０１の取付台２５１において、主制御装置２７１用の基板装着部２５２の背後空間に通じる開口部のうち、上側の開口部を可変表示ユニット３５で塞ぐように構成したが、可変表示ユニット３５でなく、第１制御基板ユニット２０１（取付台２５１）に隣接して設けられる別の構成部材で塞ぐ構成としてもよい。
【０３３１】
（ｗ）上記第１，第２の実施の形態では、遊技盤３０の裏面に第１制御基板ユニット２０１（取付台２５１）を取り付ける構成としていたが、これを変更し、遊技機本体の裏面において第１制御基板ユニット２０１を別部材に取り付ける構成としてもよい。例えば、第１制御基板ユニット２０１（取付台２５１）を、遊技機本体を構成する本体枠１２に取り付ける。
【０３３２】
（ｘ）上記第１，第２の実施の形態では、第１制御基板ユニット２０１の取付台２５１において、各基板装着部２５２，２５３に高さがほぼ等しい制御装置２７１，２７２を装着したが、この構成を変更する。例えば、各基板装着部２５２，２５３に装着する制御装置の高さを各々異なるものとし、下段側には比較的背の高い制御装置を装着し、上段側には比較的背の低い制御装置を装着する構成としても良い。この場合、パチンコ機１０後方への各制御装置の高さ（出っ張り）をほぼ均等にすることが可能となる。従って、制御装置等の望ましいレイアウトが実現できる。
【０３３３】
（ｙ）上記実施の形態では、パチンコ機１０の裏面側において、各種制御装置を２つの制御基板ユニット（第１制御基板ユニット２０１、第２制御基板ユニット２０２）に分散して搭載したが、この構成も変更でき、制御基板ユニット（すなわち取付台）を３つ以上設ける構成としてもよい。
【０３３４】
（ｚ）制御装置以外の部材を装着するための台座部材を本体枠１２や遊技盤３０に取り付ける構成としても良い。制御装置以外の部材としては、電源装置３１３、モータやソレノイド等の電気部材、遊技球通路部材などが考えられる。
【０３３５】
（ａ１）上記パチンコ機１０の構成に代えて、遊技機本体（本体枠１２や遊技盤３０等の集合体）の背面側に制御装置（主制御装置２７１等）や機能部品類（可変入賞装置３２等）などを台座部材を使わずに搭載するとともに、それら制御装置や機能部品類などの少なくとも遊技機後方側を覆うように、同じく遊技機本体の背面側にカバー部材を取り付けた構成が考えられる。かかる構成のパチンコ機において、カバー部材により形成される空間領域にスペーサ部材を設けるとともに、遊技機本体及びカバー部材の少なくともいずれかとスペーサ部材とに、結合処理によりそれら両者を分離不能とするとともに結合後の結合解除により痕跡が残るようにした結合部（封印手段）を設けると良い。その具体的構成を図４５により説明する。
【０３３６】
図４５の（ａ）に示すように、遊技盤９０１の背面側には、主制御装置９０２が取り付けられている。なおこの場合、主制御装置９０２の構成は、前述した主制御装置２７１等に準ずる。主制御装置９０２は遊技盤９０１（又はその背面側の集合板ユニット）に対して直接固定されていても良いし、ベース板等を介して固定されていても良い。また、同じく遊技盤９０１の背面側には、主制御装置９０２の少なくとも表側（パチンコ機で言えば後方側）を覆うようにしてカバー体９０３が取り付けられている。カバー体９０３は回動機構などを有し、必要に応じて開閉できる構成となっている。この場合、カバー体９０３により形成された空間領域に主制御装置９０２やその他機能部品類（図示略）などが配設されるが、同空間領域には余剰空間が存在しており、その余剰空間が悪用されて不正部品等が設置されることなどが懸念される。
【０３３７】
そこで本例では、カバー体９０３により形成される空間領域にスペーサ部材９０４を設置し、そのスペーサ部材９０４により前記空間領域（余剰空間）を制限するようにした。すなわちスペーサ部材９０４により前記空間領域（余剰空間）を埋めるようにした。スペーサ部材９０４は無色透明の合成樹脂材料により成形されている。またその構成は、前述したスペーサ部材２８５等に準ずるものである。加えて、スペーサ部材９０４と遊技盤９０１（又はカバー体９０３でも可）とには、結合処理によりそれら両者を分離不能とするとともに結合後の結合解除により痕跡が残るようにした封印部材９０５が設けられている。封印部材９０５は、機械的な結合を伴う構成や封印シールなどが適用できる。
【０３３８】
上記構成によれば、カバー体９０３により形成される空間領域（余剰空間）を縮小又は無くすことができ、当該空間領域を用いての不正基板等の設置などが抑制できる。また更に、スペーサ部材９０４と遊技盤９０１とを封印部材９０５により封印結合したため、不正行為に対する抑止力を十分に発揮できる。以上によれば、遊技盤９０１（遊技機本体）の背面に、カバー部材により区画された区画空間を有するパチンコ機において十分な不正対策を講じることができる。
【０３３９】
図４５の（ａ）の変形例を図４５の（ｂ）に示す。図４５の（ｂ）では、（ａ）の構成に比してカバー体９０３がパチンコ機後方に大きく張り出す構成となっており、それ故に主制御装置９０２とカバー体９０３との間にも空間領域（余剰空間）が形成されている。この場合、（ａ）の構成よりも大型のスペーサ部材９１１が設けられる。図示の例では、スペーサ部材９１１は、主制御装置９０２の上方領域と表側領域とを埋めるものとなっている。スペーサ部材９１１は無色透明の合成樹脂材料により成形されている。またその構成は、前述したスペーサ部材２８５等に準ずるものである。ただしこうして空間領域（余剰空間）が比較的大きい場合、複数ピースからなるスペーサ部材を設ける構成としても良い。前記同様、スペーサ部材９１１と遊技盤９０１（又はカバー体９０３でも可）とには、結合処理によりそれら両者を分離不能とするとともに結合後の結合解除により痕跡が残るようにした封印部材９０５が設けられている。
【０３４０】
なお、カバー体９０３内に、上記した主制御装置９０２に代えて他の制御装置（音声ランプ制御装置等）を設けても良いし、主制御装置９０２を設けずに、可変入賞装置（大入賞当アタッカ）等の機能部品類などを設けても良い。また、カバー体９０３は、少なくとも主制御装置９０２等の表側（パチンコ機で言えば後方側）を覆うものであることが要件であるが、例えばカバー体下部又は上部等に開口が設けられていても良い。
【０３４１】
（ａ２）上記実施の形態とは異なる他のタイプの弾球遊技機、例えば他の役物を備えたパチンコ機、アレンジボール機、雀球等の遊技機や、メダルに代えて遊技球（パチンコ球）を使用する球使用タイプの回胴式遊技機にも適用できる。
【０３４２】
球使用タイプの回胴式遊技機では、外周に複数の図柄が付されたリール装置（回胴装置）、遊技者により操作されるベットスイッチやスタートレバー等の装置類、遊技球の取込を許可又は禁止すると共に順次取り込まれる遊技球をカウントするための取込装置などが設けられる。この場合、球受皿に貯留された遊技球は、整列通路部及び取込口を介して取込装置に導かれる。そして、遊技者によるベットスイッチの操作に伴い取込装置で遊技球の取込が行われ、その取り込まれた遊技球数に応じて毎回の遊技の開始（スタートレバー操作に伴うリール回転）が許容される。
【符号の説明】
【０３４３】
１０…パチンコ機、１１…外枠、１２…本体枠、１３…前扉枠、３０…遊技盤、３５…可変表示ユニット、３８…切欠、４１…第１図柄表示装置、５０…レールユニット、９１…シリンダ錠、１０１…窓部、２０１…第１制御基板ユニット、２０２…第２制御基板ユニット、２０３…裏パックユニット、２１４…表示制御装置、２３５…軸受け金具、２４８…連動杆、２５１…取付台、２５２，２５３…基板装着部、２５２ａ，２５３ａ…基板搭載面、２５５…被結合片、２６１…下側脚部、２６２…上側脚部、２７１…主制御装置、２７２…音声ランプ制御装置、２７３…基板ボックス、２７８…係止具、２８５…スペーサ部材、２８６…リブ、２９５…結合突起、６０１…スペーサ部材、６０２…リブ、７００…主制御装置ユニット、７０１…主制御装置、７０２…基板ボックス、７０４…封印部、７１１…取付台、７１２…基板装着部、７１２ａ…基板搭載面、７４１…スペーサ部材、７４５，７４６…係止片、７７１…遊技盤、８０１，８０２…係止受け部、８１１，８１２…連結片、８１１ｂ，８１２ｂ…係止部、８３１…スペーサ形成片、８３３…起立リブ、８３４…起立ピン、９０３…カバー体、９０４…スペーサ部材、９０５…封印部材、ＳＦ…封印シール。
【図１】
2010201274.tif 000003
【図２】
2010201274.tif 000004
【図３】
2010201274.tif 000005
【図４】
2010201274.tif 000006
【図５】
2010201274.tif 000007
【図６】
2010201274.tif 000008
【図７】
2010201274.tif 000009
【図８】
2010201274.tif 000010
【図９】
2010201274.tif 000011
【図１０】
2010201274.tif 000012
【図１１】
2010201274.tif 000013
【図１２】
2010201274.tif 000014
【図１３】
2010201274.tif 000015
【図１４】
2010201274.tif 000016
【図１５】
2010201274.tif 000017
【図１６】
2010201274.tif 000018
【図１７】
2010201274.tif 000019
【図１８】
2010201274.tif 000020
【図１９】
2010201274.tif 000021
【図２０】
2010201274.tif 000022
【図２１】
2010201274.tif 000023
【図２２】
2010201274.tif 000024
【図２３】
2010201274.tif 000025
【図２４】
2010201274.tif 000026
【図２５】
2010201274.tif 000027
【図２６】
2010201274.tif 000028
【図２７】
2010201274.tif 000029
【図２８】
2010201274.tif 000030
【図２９】
2010201274.tif 000031
【図３０】
2010201274.tif 000032
【図３１】
2010201274.tif 000033
【図３２】
2010201274.tif 000034
【図３３】
2010201274.tif 000035
【図３４】
2010201274.tif 000036
【図３５】
2010201274.tif 000037
【図３６】
2010201274.tif 000038
【図３７】
2010201274.tif 000039
【図３８】
2010201274.tif 000040
【図３９】
2010201274.tif 000041
【図４０】
2010201274.tif 000042
【図４１】
2010201274.tif 000043
【図４２】
2010201274.tif 000044
【図４３】
2010201274.tif 000045
【図４４】
2010201274.tif 000046
【図４５】
2010201274.tif 000047